(57)【要約】  無線通信端末（１０）は、受信部（１１０）にて受信したページングメッセージに基づいて、ページングメッセージを受信した通信セルの報知情報の変更の有無、及び、他の通信セルの報知情報の変更の有無を判定するページング管理部（１３０）を備え、制御部（１４０）にて複数の通信セルのうちの特定の通信セルのページングメッセージを受信するように受信部（１１０）を制御するとともに、ページング管理部（１３０）にて、特定の通信セルのページングメッセージに基づいて、他の通信セルの報知情報に変更があると判定された場合に、特定の通信セル以外の他の通信セルのページングメッセージを受信するように受信部（１１０）を制御し、かつ、ページング管理部（１３０）にてページングメッセージを受信した通信セルの報知情報に変更があると判定された場合に、当該通信セルの報知情報を受信するように受信部（１１０）を制御する。
2010150493.tif 000002
【特許請求の範囲】
【請求項１】
キャリアアグリゲーションによって、複数の通信セルのそれぞれのコンポーネントキャリアを同時に使用可能な無線通信端末であって、
ページングメッセージ及び報知情報を受信する受信部と、
前記受信部にて受信したページングメッセージに基づいて、ページングメッセージを受信した通信セルの報知情報の変更の有無、及び、他の通信セルの報知情報の変更の有無を判定するページング管理部と、
前記複数の通信セルのうちの特定の通信セルのページングメッセージを受信するように前記受信部を制御し、前記ページング管理部にて、前記特定の通信セルのページングメッセージに基づいて、前記他の通信セルの報知情報に変更があると判定された場合に、前記特定の通信セル以外の他の通信セルのページングメッセージを受信するように前記受信部を制御し、かつ、前記ページング管理部にてページングメッセージを受信した通信セルの報知情報に変更があると判定された場合に、当該通信セルの報知情報を受信するように前記受信部を制御する制御部と、
を備えることを特徴とする無線通信端末。
【請求項２】
前記制御部が、他の通信セルのページングメッセージを受信するように前記受信部を制御した場合において、
前記ページング管理部にて、前記他の通信セルのページングメッセージに基づいて、ページングメッセージを受信した通信セルの報知情報の変更があり、他の通信セルの報知情報の変更がないと判定した場合に、前記制御部は、ページングメッセージの受信を停止するように前記受信部を制御する請求項１に記載の無線通信端末。
【請求項３】
前記制御部が、他の通信セルのページングメッセージを受信するように前記受信部を制御した場合において、
前記ページング管理部にて、前記他の通信セルのページングメッセージに基づいて、ページングメッセージを受信した通信セルの報知情報の変更がなく、他の通信セルの報知情報の変更がないと判定した場合に、前記制御部は、ページングメッセージを受信していないすべての通信セルから報知情報を受信するように前記受信部を制御する請求項１に記載の無線通信端末。
【請求項４】
前記特定の通信セルのページングメッセージには、他の通信セルの報知情報の変更が前記特定の通信セルの報知情報の変更と同じか否かを示す情報が含まれており、
前記ページング管理部は、前記特定の通信セルのページングメッセージに基づいて、他の通信セルの報知情報の変更が前記特定の通信セルの報知情報の変更と同じか否かを判定し、
前記制御部は、前記ページング管理部にて、前記他の通信セルの報知情報の変更が前記特定の通信セルの報知情報の変更と同じであると判定された場合に、キャリアアグリゲーションに使用されている通信セルの報知情報を、前記特定の通信セルの報知情報の変更と同様に変更する請求項１に記載の無線通信端末。
【請求項５】
前記キャリアアグリゲーションに使用されている複数の通信セルの中に、ページングメッセージ及び報知情報を送信しない非報知セルが含まれており、前記キャリアアグリゲーションに使用されていない通信セルの中に、前記非報知セルの代わりにページングメッセージ及び報知情報を送信している報知代行セルがある場合において、前記ページング管理部が、前記特定の通信セルのページングメッセージに基づいて、前記非報知セルの報知情報に変更があると判定し、前記報知代行セルからページングメッセージを受信する必要があるときに、
前記制御部は、当該無線通信端末に固有の情報に基づいて計算されるタイミングで、前記非報知セルにギャップ期間を設定し、当該ギャップ期間に、前記報知代行セルから、前記非報知セルのページングメッセージを受信するように前記受信部を制御し、かつ、前記ページング管理部にて、前記報知代行セルから受信したページングメッセージに基づいて、前記非報知セルの報知情報に変更があると判定された場合に、前記非報知セルから前記報知代行セルに切り替えて報知情報を受信するように前記受信部を制御する請求項１に記載の無線通信端末。
【請求項６】
前記報知情報の変更は、前記キャリアアグリゲーションを維持するのに必要な報知情報の変更である請求項１ないし請求項５のいずれかに記載の無線通信端末。
【請求項７】
前記報知情報の変更は、ＳＩＢ２の変更である請求項６に記載の無線通信端末。
【請求項８】
キャリアアグリゲーションによって、複数の通信セルのそれぞれのコンポーネントキャリアを同時に使用して無線通信端末と通信可能な無線通信基地局であって、
前記複数の通信セルのいずれかの報知情報が変更されたときに、前記通信セルごとに、当該通信セルの報知情報の変更の有無を示す情報、及び、当該通信セル以外の他の通信セルの報知情報の変更の有無を示す情報を含むページングメッセージを生成するページング生成部と、
前記ページング生成部にて生成されたページングメッセージを、該ページングメッセージに対応する前記通信セルにて送信する送信部と
を備えることを特徴とする無線通信基地局。
【請求項９】
前記ページング生成部は、前記キャリアアグリゲーションを維持するのに必要な報知情報が変更された場合に、前記ページングメッセージを生成する請求項８に記載の無線通信基地局。
【請求項１０】
前記他の通信セルの報知情報の変更の有無を示す情報は、前記複数の通信セルのうちの特定の通信セルの報知情報と同様に、前記特定の通信セル以外の他のすべての通信セルの報知情報が変更されたか否かを示す情報を含み、
前記ページング生成部は、前記他のすべての通信セルの報知情報が、前記特定の通信セルの報知情報と同様に変更されたときに、前記他のすべての通信セルの報知情報が前記特定の通信セルの報知情報と同様に変更されたことを示す情報を含む前記ページングメッセージを生成し、前記他の通信セルの報知情報の一部又は全部が、前記特定の通信セルの報知情報と異なるように変更されたときに、前記他のすべての通信セルの報知情報が前記特定の通信セルの報知情報と同様に変更されていないことを示す情報を含む前記ページングメッセージを生成する請求項８に記載の無線通信基地局。
【請求項１１】
前記報知情報の変更は、前記キャリアアグリゲーションを維持するのに必要な報知情報の変更である請求項８ないし請求項１０のいずれかに記載の無線通信基地局。
【請求項１２】
無線通信基地局と無線通信端末とを含み、キャリアアグリゲーションによって、複数の通信セルのそれぞれのコンポーネントキャリアを同時に使用して前記無線通信基地局と前記無線通信端末との間の通信を行う無線通信システムであって、
前記無線通信基地局は、
キャリアアグリゲーションによって、複数の通信セルのそれぞれのコンポーネントキャリアを同時に使用して無線通信端末と通信可能な無線通信基地局であって、
前記複数の通信セルのいずれかの報知情報が変更されたときに、前記通信セルごとに、当該通信セルの報知情報の変更の有無を示す情報、及び、当該通信セル以外の他の通信セルの報知情報の変更の有無を示す情報を含むページングメッセージを生成するページング生成部と、
前記ページング生成部にて生成されたページングメッセージを、該ページングメッセージに対応する前記通信セルにて送信し、かつ前記報知情報を送信する送信部とを備え、
前記無線通信端末は、
キャリアアグリゲーションによって、複数の通信セルのそれぞれのコンポーネントキャリアを同時に使用可能な無線通信端末であって、
前記送信部より送信されたページングメッセージ及び報知情報を受信する受信部と、
前記受信部にて受信したページングメッセージに基づいて、ページングメッセージを受信した通信セルの報知情報の変更の有無、及び、他の通信セルの報知情報の変更の有無を判定するページング管理部と、
前記複数の通信セルのうちの特定の通信セルのページングメッセージを受信するように前記受信部を制御し、前記ページング管理部にて、前記特定の通信セルのページングメッセージに基づいて、前記他の通信セルの報知情報に変更があると判定された場合に、前記特定の通信セル以外の他の通信セルのページングメッセージを受信するように前記受信部を制御し、かつ、前記ページング管理部にてページングメッセージを受信した通信セルの報知情報に変更があると判定された場合に、当該通信セルの報知情報を受信するように前記受信部を制御する制御部とを備える、
ことを特徴とする無線通信システム。
【請求項１３】
キャリアアグリゲーションによって、複数の通信セルのそれぞれのコンポーネントキャリアを同時に使用可能な通信端末による報知情報の受信方法であって、
キャリアアグリゲーションに使用される前記複数の通信セルのうちの特定の通信セルを通じてページングメッセージを受信するステップと、
前記特定の通信セルを通じて受信したページングメッセージに基づいて、前記特定の通信セル以外の他の通信セルの報知情報に変更があるか否か判定するステップと、
前記他の通信セルの報知情報に変更があると判定された場合に、前記他の通信セルのページングメッセージを受信するステップと、
前記他の通信セルにて受信したページングメッセージに基づいて当該通信セルの報知情報に変更があると判定された場合に、当該通信セルの報知情報を受信するステップと、
を備える報知情報の受信方法。
【請求項１４】
前記他の通信セルにて受信したページングメッセージに基づいて、当該通信セルの報知情報に変更があり、かつ当該通信セル以外の通信セルの報知情報に変更がないと判定した場合に、ページングメッセージの受信を停止する請求項１３に記載の報知情報の受信方法。
【請求項１５】
前記他の通信セルを通じて受信したページングメッセージに基づいて、当該通信セルの報知情報に変更がなく、かつ当該通信セル以外の通信セルの報知情報に変更がないと判定した場合に、ページングメッセージを受信していない通信セルから報知情報を受信する請求項１３に記載の報知情報の受信方法。
【発明の詳細な説明】
【関連する出願】
【０００１】
本出願では、２００９年６月２２日に日本国に出願された特許出願番号２００９−１４８１２２の利益を主張し、当該出願の内容は引用することによりここに組み込まれているものとする。
【技術分野】
【０００２】
本発明は、キャリアアグリゲーションによって、複数の通信セルのそれぞれのコンポーネントキャリアを同時に使用して通信可能な無線通信端末、無線通信基地局及び無線通信システムに関し、特に、報知情報を受信する無線通信端末、この無線通信端末に報知情報を送信する無線通信基地局、並びにこれらの無線通信基地局及び無線通信端末からなる無線通信システムに関する。
【背景技術】
【０００３】
標準化団体３ＧＰＰ（The  3rd  Generation  Partnership  Project）は、Ｗ−ＣＤＭＡ（Wideband  Code  Division  Multiple  Access）方式の次世代の通信規格として、ＬＴＥ（Long  Term  Evolution）の標準化を進めている。【０００４】
ＬＴＥでは、ネットワーク（Evolved  Universal  Mobile  Radio  Access  Network（E-UTRAN））の無線通信基地局（E-UTRAN  NodeB、以下単に「基地局」という）は、複数の通信セル（以下単に「セル」という）を有しており、無線通信端末（User  Equipment、以下単に「端末」という）は、そのうちの１つのセルに属する。基地局は、端末を制御するために、セル毎にシステム情報（System  Information）である報知情報を端末に対して報知する。【０００５】
報知情報は、端末の様々な動作の指標となる重要な情報である。報知情報には、例えば、システムの帯域幅の情報、送信アンテナの情報、セルの情報（セルの識別子、セルのアクセス禁止情報、セル選択情報、セル再選択情報）、システム情報メッセージの報知スケジュール情報、アクセスクラス制御情報、共通チャネルの設定、無線資源の共通設定、ＭＢＳＦＮサブフレーム割り当て情報などが含まれる。【０００６】
図９は、ＬＴＥにおける報知情報の分類を示す図である。報知情報は、報知チャネル（Broadcast  Channel）を使用して報知されるマスター情報ブロック（Master  Information  Block、以下「ＭＩＢ」という）と、ダウンリンク共有チャネル（Down  Link  Shared  Channel）を使用して報知される複数のシステム情報ブロック（System  Information  Block、以下「ＳＩＢ」という）とに分けられる。ＳＩＢは、その内容に応じて種類が分けられる。非特許文献１では、ＳＩＢ１からＳＩＢ１１までの１１種類のＳＩＢが規定されている。【０００７】
基地局は、セル内の端末に報知している報知情報の内容を変更する場合、システム情報モディフィケーション（System  Info  Modification）がオンであるページングメッセージ（Paging  Message）をページングチャネル（Paging  Channel）を使用して送信する。システム情報モディフィケーションは、報知情報の変更を通知するフラグであり、端末は、このシステム情報モディフィケーションによって報知情報の変更があったことを認識できる。報知情報の変更は、変更周期（Modification  Period）の開始地点で行われる。従って、変更された報知情報は、システム情報モディフィケーションがオンのページングメッセージが送られた次の変更周期の開始地点から報知される。【０００８】
ページングメッセージは、対象となる端末の識別子とページングの起源となるネットワークとの組み合わせのリストであるページングレコードリスト（Paging  Record  List）、自セルの報知情報の変更の有無を示すシステム情報モディフィケーション（System  Info  Modification）、及び地震津波警報システムを指示するｅｔｗｓインディケーション（etws-Indication）から構成される。ページングメッセージは、これらのすべての情報を含んでよく、どれか１つの情報をでもよい。例えば、システム情報モディフィケーションとｅｔｗｓインディケーションを同時に通知することもできれば、それらのいずれかのみを通知することもできる。【０００９】
図１０は、報知情報の変更手順を説明するための図である。報知周期が同じであるＳＩＢは、１つのメッセージとして送られる。図１０の例では、ＳＩＢ２とＳＩＢ３が同じ報知周期であり、ＳＩＢ２とＳＩＢ３とは１つのメッセージとして送られる。基地局は、報知情報を変更する場合には、現在の変更周期の次の変更周期の開始時点からシステム情報モディフィケーションをオンにしたページングメッセージを送り、さらにその次の変更周期の開始時点から変更された報知情報を報知する。図１０において、黒く塗りつぶされたＳＩＢが変更されていることを表し、図１０の例ではＳＩＢ１とＳＩＢ４が変更されている。変更周期１にて基地局が報知情報を変更しようとすると、基地局は、その次の変更周期である変更周期２で、システム情報モディフィケーションのフラグをオンにしたページングメッセージを送り、さらにその次の変更周期３で変更された報知情報を報知する。【００１０】
ＬＴＥでは、端末の状態として、アイドル状態（RRC_IDLE）とコネクテッド状態（RRC_CONNECTED）がある。アイドル状態の端末とコネクテッド状態の端末とでは、必要となるＳＩＢの種類が異なる。端末は、システム情報アクイジション（System  Information  Acquisition）によって、端末の状態に応じて、必要なＳＩＢを受信する。【００１１】
図１１は、システム情報アクイジションを説明するための図である。図１１に示すように、基地局は、ＭＩＢとＳＩＢ１、ＳＩＢ２、・・・を報知する。端末は、ＭＩＢとＳＩＢ１を受信する。端末はさらに、ＳＩＢ２〜ＳＩＢ１１のうち、ＳＩＢ１に記載されている他のＳＩＢの報知スケジュール情報に基づいてその端末に必要と判断されるＳＩＢを受信する。【００１２】
端末が基地局に初期接続する場合における報知情報の受信手順は次の通りである。端末は、基地局に接続すると、まず基地局と同期をとる。そして、ＭＩＢとＳＩＢ１は、報知されるスケジュールが予め規定されているので、端末は、ＭＩＢとＳＩＢ１を受信する。ＳＩＢ１は、他のＳＩＢの報知スケジュール情報を含むので、端末は、この報知スケジュールに従って必要なＳＩＢを受信する。また、端末は、ＳＩＢ２を受信した後、ＳＩＢ２に含まれているページングメッセージの報知スケジュール情報（ページングの報知周期など）に基づいて、ページングメッセージを受信する。【００１３】
以上の技術を用いて、端末は、基地局によって報知される報知情報を受信する。
【先行技術文献】
【非特許文献】
【００１４】
【非特許文献１】3GPP  TS36.331  v8.5.0  “Evolved  Universal  Terrestrial  Radio  Access  (E-UTRA)  Radio  Resource  Control  (RRC)”
【非特許文献２】3GPP  TS36.304  v8.5.0  “Evolved  Universal  Terrestrial  Radio  Access  (E-UTRA);  User  Equipment  (UE)  procedures  in  idle  mode”
【発明の概要】
【発明が解決しようとする課題】
【００１５】
標準化団体３ＧＰＰは、ＬＴＥと互換性のある次世代の無線通信規格として、ＬＴＥ−Ａ（Long  Term  Evolution  Advanced）の標準化を進めている。ＬＴＥ−Ａでは、端末が１つの基地局の複数のセルのそれぞれのコンポーネントキャリアを同時に使用するキャリアアグリゲーション（Carrier  Aggregation）の導入が検討されている。なお、キャリアアグリゲーションは、バンドアグリゲーション（Band  Aggregation）とも呼ばれる。【００１６】
図１２は、キャリアアグリゲーションの例を示す図である。図１２では、端末が、キャリア周波数がそれぞれｆ１、ｆ２、ｆ３、ｆ４、ｆ５、ｆ６である６つのコンポーネントキャリアのうち、キャリア周波数がそれぞれｆ１、ｆ２、ｆ３、ｆ６である４つのコンポーネントキャリアを同時に使用する例が示されている。このように、複数のコンポーネントキャリアを使用することにより、端末と基地局との間の通信のスループットの向上が期待されている。【００１７】
しかしながら、端末が、複数のコンポーネントキャリアを使用する場合には、複数のコンポーネントキャリアについてそれぞれの固有の情報を受信する必要がある。上記従来の方法では、端末が全てのコンポーネントキャリアでページングメッセージを随時受信し、報知情報に変更がないかを確認する必要があるため、消費電力が大きくなるという問題があった。【００１８】
本発明は、上記従来の問題を解決するためになされたもので、複数のコンポーネントキャリアを利用してキャリアアグリゲーションにより無線通信端末と無線通信基地局が通信できる無線通信システムにおいて、端末の消費電力を抑えることができる無線通信システムを提供することを目的とする。
【課題を解決するための手段】
【００１９】
無線通信システムは、無線通信基地局と無線通信端末とを含み、キャリアアグリゲーションによって、複数のセルのそれぞれのコンポーネントキャリアを同時に使用して無線通信基地局と無線通信端末との通信を行う構成を有している。【００２０】
無線通信基地局は、キャリアアグリゲーションによって、複数の通信セルのそれぞれのコンポーネントキャリアを使用して無線通信端末と通信可能な無線通信基地局であって、複数の通信セルのいずれかの報知情報が変更されたときに、通信セルごとに、当該通信セルの報知情報の変更の有無を示す情報、及び、当該通信セル以外の他の通信セルの報知情報の変更の有無を示す情報を含むページングメッセージを生成するページング生成部と、ページング生成部にて生成されたページングメッセージを、該ページングメッセージに対応する通信セルにて送信し、かつ報知情報を送信する送信部とを備えた構成を有している。【００２１】
無線通信端末は、キャリアアグリゲーションによって、複数のセルのそれぞれのコンポーネントキャリアを同時に使用可能な無線通信端末であって、送信部より送信されたページングメッセージ及び報知情報を受信する受信部と、受信部にて受信したページングメッセージに基づいて、ページングメッセージを受信した通信セルの報知情報の変更の有無、及び、他の通信セルの報知情報の変更の有無を判定するページング管理部と、複数の通信セルのうちの特定の通信セルのページングメッセージを受信するように受信部を制御し、ページング管理部にて、特定の通信セルのページングメッセージに基づいて、他の通信セルの報知情報に変更があると判定された場合に、特定の通信セル以外の他の通信セルのページングメッセージを受信するように受信部を制御し、かつ、ページング管理部にてページングメッセージを受信した通信セルの報知情報に変更があると判定された場合に、当該通信セルの報知情報を受信するように受信部を制御する制御部とを備える構成を有している。
【発明の効果】
【００２２】
本発明は、端末がキャリアアグリゲーションをする場合に、各セルの報知情報が変更されたときに、特定のセル以外における端末のページングメッセージの受信回数を減らしつつ、必要な報知情報を端末が受信できる無線通信システムを提供することによって、端末の消費電力を抑えることができるものである。【００２３】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００２４】
【図１】図１は、本発明の第１の実施の形態における端末のブロック図
【図２】図２は、本発明の第１の実施の形態における基地局のブロック図
【図３】図３は、本発明の第１の実施の形態における報知情報の報知方法の概要を説明するためのフロー図
【図４】図４は、本発明の第１の実施の形態における端末が基地局からページングを受信する動作を説明するための図
【図５】図５は、本発明の第１の実施の形態におけるページングフォーマットの例を示す図
【図６】図６は、本発明の第１の実施の形態における、特定のセルでページングメッセージを受信したときの端末の動作説明のためのフロー図
【図７】図７は、本発明の第１の実施の形態における、他のセルでページングメッセージを受信したときの端末の動作説明のためのフロー図
【図８】図８は、本発明の第１の実施の形態における基地局の動作説明のためのフロー図
【図９】図９は、ＬＴＥの報知情報の分類を示す図
【図１０】図１０は、報知情報の変更手順を説明するための図
【図１１】図１１は、システム情報アクイジッションを説明するための図
【図１２】図１２は、キャリアアグリゲーションの例を示す図
【図１３】図１３は、本発明の実施の形態における無線通信システムの全体構成図
【図１４Ａ】図１４Ａは、本発明の実施の形態における、同じエリアに属する複数のコンポーネントキャリアを同時に使用してキャリアアグリゲーションを行う場合を示す模式図
【図１４Ｂ】図１４Ｂは、本発明の実施の形態における、同じ基地局の異なるエリアに属する複数のコンポーネントキャリアを同時に使用してキャリアアグリゲーションを行う場合を示す模式図
【図１４Ｃ】図１４Ｃは、本発明の実施の形態における、基地局が異なる周波数について異なるサイズのセルを管理する状況下で複数のコンポーネントキャリアを同時に使用してキャリアアグリゲーションを行う場合を示す模式図
【図１４Ｄ】図１４Ｄは、本発明の実施の形態における、同じ基地局の異なるエリアに属する複数の同じキャリア周波数のコンポーネントキャリアを同時に使用してキャリアアグリゲーションを行う場合を示す模式図
【図１５Ａ】図１５Ａは、本発明の実施の形態におけるキャリアアグリゲーションにおいて、すべてのセルにおいて同等のＳＩＢを報知する方法を示す図
【図１５Ｂ】図１５Ｂは、本発明の実施の形態におけるキャリアアグリゲーションにおいて、一部のセルでは報知するＳＩＢの数を少なくし、それ以外のセルではすべてのＳＩＢを報知する方法を示す図
【図１５Ｃ】図１５Ｃは、本発明の実施の形態におけるキャリアアグリゲーションにおいて、一部のセルではＳＩＢを報知せず、それ以外のセルが一部のセルのセル固有の情報を当該一部のセルに代わって報知する方法を示す図
【図１６】図１６は、本発明の第２の実施の形態における端末のブロック図
【図１７Ａ】図１７Ａは、本発明の第２の実施の形態における、他セルモディフィケーションをオフとしたページングメッセージのフォーマットの例を示す図
【図１７Ｂ】図１７Ｂは、本発明の第２の実施の形態における、他セルモディフィケーションをオンとしてモッドタイプが追加されたページングメッセージのフォーマットの例を示す図
【図１７Ｃ】図１７Ｃは、本発明の第２の実施の形態における、他セルモディフィケーションを２ビットとしたページングメッセージのフォーマットの例を示す図
【図１８】図１８は、本発明の第２の実施の形態における端末の動作説明のためのフロー図
【図１９】図１９は、本発明の第２の実施の形態における基地局のブロック図
【図２０】図２０は、本発明の第３の実施の形態における端末のブロック図
【図２１】図２１は、本発明の第３の実施の形態における基地局のブロック図
【発明を実施するための形態】
【００２５】
以下に、本発明の詳細な説明を述べる。以下に説明する実施の形態は本発明の単なる例であり、本発明は様々な態様に変形することができる。従って、以下に開示する特定の構成および機能は、特許請求の範囲を限定するものではない。
【００２６】
本発明の実施の形態の無線通信システムは、無線通信基地局と無線通信端末とを含み、キャリアアグリゲーションによって、複数のセルのそれぞれのコンポーネントキャリアを同時に使用して無線通信基地局と無線通信端末との通信を行う構成を有している。
【００２７】
無線通信基地局は、キャリアアグリゲーションによって、複数の通信セルのそれぞれのコンポーネントキャリアを使用して無線通信端末と通信可能な無線通信基地局であって、複数の通信セルのいずれかの報知情報が変更されたときに、通信セルごとに、当該通信セルの報知情報の変更の有無を示す情報、及び、当該通信セル以外の他の通信セルの報知情報の変更の有無を示す情報を含むページングメッセージを生成するページング生成部と、ページング生成部にて生成されたページングメッセージを、該ページングメッセージに対応する通信セルにて送信し、かつ報知情報を送信する送信部とを備えた構成を有している。
【００２８】
無線通信端末は、キャリアアグリゲーションによって、複数のセルのそれぞれのコンポーネントキャリアを同時に使用可能な無線通信端末であって、送信部より送信されたページングメッセージ及び報知情報を受信する受信部と、受信部にて受信したページングメッセージに基づいて、ページングメッセージを受信した通信セルの報知情報の変更の有無、及び、他の通信セルの報知情報の変更の有無を判定するページング管理部と、複数の通信セルのうちの特定の通信セルのページングメッセージを受信するように受信部を制御し、ページング管理部にて、特定の通信セルのページングメッセージに基づいて、他の通信セルの報知情報に変更があると判定された場合に、特定の通信セル以外の他の通信セルのページングメッセージを受信するように受信部を制御し、かつ、ページング管理部にてページングメッセージを受信した通信セルの報知情報に変更があると判定された場合に、当該通信セルの報知情報を受信するように受信部を制御する制御部とを備える構成を有している。
【００２９】
以下、本発明の実施の形態の無線通信システムについて、図面を参照して詳細に説明する。本発明の実施の形態の無線通信システムは、端末と基地局からなる。無線通信システムを構成する端末と基地局の具体的な説明に先立って、本発明の実施の形態の無線通信システムにおけるキャリアアグリゲーションについて説明する。
【００３０】
図１３は、本発明の実施の形態の無線通信システムの全体構成図である。図１３に示すように、無線通信システム９００は、複数の端末１０１、１０２、１０３と、基地局５００とで構成されている。基地局５００は、キャリア周波数がそれぞれ異なる複数のコンポーネントキャリアの各々について、複数のセルを管理している。
【００３１】
ここで、本発明において、セルとは、端末が、１つの基地局から地理的エリアに対して送られる識別子、又は、用いられる周波数の相違に基づいて、ユニークに識別できる無線ネットワークオブジェクトをいう。
【００３２】
端末は、複数のセルのそれぞれのコンポーネントキャリアを同時に使用して、キャリアアグリゲーションにより１つの基地局と通信を行うことができる。図１３の例では、端末１０１は、セル１のコンポーネントキャリア（キャリア周波数はｆ１）、セル４のコンポーネントキャリア（キャリア周波数はｆ２）、セル７のコンポーネントキャリア（キャリア周波数はｆ３）、セル１９のコンポーネントキャリア（キャリア周波数はｆ６）の４つのセルのコンポーネントキャリアを同時に使用してキャリアアグリゲーションを行う。また、端末１０３は、セル８のコンポーネントキャリア（キャリア周波数はｆ３）及びセル１４のコンポーネントキャリア（キャリア周波数はｆ４）を同時に使用してキャリアアグリゲーションを行う。この無線通信システム９００には、端末１０２のようにキャリアアグリゲーションの機能を持たない従来の端末が含まれていてもよい。端末１０２はセル２のコンポーネントキャリア（キャリア周波数はｆ１）を使用して基地局５００と通信を行っている。
【００３３】
図１４は、基地局が管理する複数のセルを示す模式図である。キャリアアグリゲーションでは複数のセルのそれぞれのコンポーネントキャリアが同時に使用されるが、その複数のセルの組み合わせには種々の態様がある。図１４は、１つの基地局がキャリア周波数ｆ１に対応する３つのセル（セル１、セル２、セル３）とキャリア周波数ｆ２に対応する３つのセル（セル４、セル５、セル６）とを管理している場合を示している。
【００３４】
同じ基地局に属する複数の異なるキャリア周波数のコンポーネントキャリアを同時に使用する態様としては、図１４Ａのように同じ基地局の同じエリアに属する複数の異なるキャリア周波数のコンポーネントキャリアを同時に使用する場合もあれば、図１４Ｂのように同じ基地局の異なるエリアに属する複数の異なるキャリア周波数のコンポーネントキャリアを同時に使用する場合もある。また、図１４Ｃに示すように、同じ基地局の異なるキャリア周波数において異なるサイズのセルを管理する場合においても、同様にキャリアアグリゲーションが行われる。さらに、図１４Ｄのように、同じ基地局の異なるエリアに属する複数の同じキャリア周波数のコンポーネントキャリアを同時に使用する場合がある。本明細書では、図１４Ｄのように複数の同じキャリア周波数のコンポーネントキャリアを使用する場合も含めて、キャリアアグリゲーションという。
【００３５】
図１５は、キャリアアグリゲーションにおいて報知情報を報知する方法を示す図である。キャリアアグリゲーションにおける報知情報の報知方法には、例えば、図１５に示す３つ形態がある。図１５の例では、それぞれキャリア周波数ｆが異なるＡ、Ａ’、Ｂ、Ｂ’、Ｃ、Ｃ’の６つのセルがある場合を示している。
【００３６】
図１５Ａは、すべてのセル（Ａ、Ａ’、Ｂ、Ｂ’、Ｃ、Ｃ’）において、ＬＴＥの端末が必要な報知情報に加え、必要があればＬＴＥ−Ａの端末が必要な報知情報を報知する方法、すなわち、全てのセルで同等のＳＩＢを報知する方法を示している。これらＬＴＥの端末が必要な報知情報を報知することで、ＬＴＥの端末が接続できるコンポーネントキャリアは、バックワードコンパチブルコンポーネントキャリア(Backward  Compatible  Component  Carrier)と呼ばれることがある。
【００３７】
図１５Ｂは、一部のセル（Ａ、Ｂ、Ｃ）では、図１５Ａと同等のＳＩＢを報知し、それ以外のキャリア（Ａ’、Ｂ’、Ｃ’）においては、報知するＳＩＢの数を少なくする（例えば、セル固有の情報を含むＳＩＢだけを報知する）方法を示している。これらＬＴＥの端末が接続するのに必要な報知情報が報知されていないコンポーネントキャリアは、ノンバックワードコンパチブルコンポーネントキャリア（Non  Backward  Compatible  Component  Carrier）と呼ばれることがある。
【００３８】
図１５Ｂにおいてノンバックワードコンパチブルコンポーネントキャリアで報知するＳＩＢのスケジューリング方法にはいくつかの方法があり、その方法の例を示す。
【００３９】
第１の例は、従来と同様に、ノンバックワードコンパチブルコンポーネントキャリアのセルにおいて、ＳＩＢ１を報知することにより、そのセルが自由にスケジューリングするスケジューリング方法である。
【００４０】
第２の例は、ノンバックワードコンパチブルコンポーネントキャリアに対応するバックワードコンパチブルコンポーネントキャリアがある場合、バックワードコンパチブルコンポーネントキャリアのセルがＳＩＢを報知するスケジューリングと同じスケジューリングでノンバックワードコンパチブルコンポーネントキャリアのセルがＳＩＢを報知するスケジューリング方法である。すなわち、セルＡがＳＩＢ２を報知するタイミングでセルＡ’がＳＩＢ２を報知する。このようにすることで、キャリアアグリゲーションをしている端末が、ノンバックワードコンパチブルコンポーネント受信する必要があるＳＩＢを抑えることができる。
【００４１】
なお、スケジューリング方法は上記以外のスケジューリング方法を用いても良い。
【００４２】
また、図１５Ｂにおいてバックワードコンパチブルコンポーネントキャリアで報知するＳＩＢの作成方法にはいくつかの方法があり、その方法の例を示す。
【００４３】
第１の例は、ノンバックワードコンパチブルコンポーネントキャリアのセルのセル固有の情報のみに限定してＳＩＢを作成する方法である。このようにすることで、基地局がバックワードコンパチブルコンポーネントキャリアで報知される報知情報を減らし、報知情報を報知する無線リソースを減らすことができ、その無線リソースを端末個別のデータ送信などに割り当てることにより、端末のスループットを向上することができる。また、端末が受信する報知情報を減らすことができ、端末の消費電力を減らすことができる。
【００４４】
第２の例は、第１の例において、キャリアアグリゲーションを維持するのに必要な情報（例えば、無線リソースコンフィグコモン（Radio  Resource  Config  Common）やＭＢＳＦＮサブフレームコンフィグリスト（MBSFN-Subframe  Config  List）など）に限定してＳＩＢを作成する方法である。このようにすることで、さらに基地局がバックワードコンパチブルキャリアで報知する報知情報を減らすことができ、報知情報を報知する無線リソースを減らすことができ、その無線リソースを端末個別のデータ送信などに割り当てることにより、端末のスループットを向上することができる。また、端末が受信する報知情報を減らすことができ、端末の消費電力を減らすことができる。
【００４５】
第３の例は、ノンバックワードコンパチブルコンポーネントキャリアのセルの情報とバックワードコンパチブルコンポーネントキャリアのセルの情報との差分によってＳＩＢを作成する方法である。すなわち、セルＡのＳＩＢ１と異なる情報のみでセルＡ’のＳＩＢ１を作成し、セルＡのＳＩＢ２と異なる情報のみでセルＡ’のＳＩＢ２を作成し、同様に他のＳＩＢにおいてもセルＡのＳＩＢとの差分によりセルＡ’のＳＩＢを作成する方法である。
【００４６】
第４の例は、第３の例において、差分によって作成するＳＩＢをセル固有の情報のみに限定して作成する方法である。すなわち、例えば、セルＡのＳＩＢ２と異なる情報のみでセルＡ’のＳＩＢ２だけを作成する方法である。このようにすることで、基地局がノンバックワードコンパチブルコンポーネントキャリアで報知される報知情報を減らし、報知情報を報知する無線リソースを減らすことができ、その無線リソースを端末個別のデータ送信などに割り当てることにより、端末のスループットを向上することができる。また、このようにすることで端末が受信する報知情報を減らすことができ、端末の消費電力を減らすことができる。
【００４７】
第５の例は、第３の例において、差分によって作成するＳＩＢの中身を、キャリアアグリゲーションを維持するのに必要な情報（例えば、無線リソースコンフィグコモンやＭＢＳＦＮサブフレームコンフィグリストなど）に限定して作成する方法である。このようにすることで、さらに基地局がノンバックワードコンパチブルコンポーネントキャリアで報知される報知情報を減らし、報知情報を報知する無線リソースを減らすことができ、その無線リソースを端末個別のデータ送信などに割り当てることにより、端末のスループットを向上することができる。また、このようにすることで端末が受信する報知情報を減らすことができ、端末の消費電力を減らすことができる。
【００４８】
第６の例は、上記第３から第５の例において作成される差分のＳＩＢを一つのＳＩＢにまとめて作成する方法である。このようにすることで、報知するＳＩＢの数を減らすことができ、スケジューリングを簡易に行うことができる。
なお、上記例以外の方法でＳＩＢを作成してもよい。
【００４９】
図１５Ｃは、一部のセル（Ａ’、Ｂ’、Ｃ’）においては、ＳＩＢを報知せず、それ以外のセル（Ａ、Ｂ、Ｃ）が一部のセル（Ａ’、Ｂ’、Ｃ’）のセル固有の情報を当該一部のセルに代わって報知する方法を示している。具体的には、例えば、セルＡがセルＡ’の固有の情報も一緒に報知し、セルＢがセルＢ’の固有の情報も一緒に報知し、セルＣがセルＣ’の情報も一緒に報知する。
【００５０】
図１５Ｃにおいてバックワードコンパチブルコンポーネントキャリアで報知するＳＩＢの作成方法にはいくつかの方法があり、その方法の例を示す。
【００５１】
第１の例は、バックワードコンパチブルコンポーネントキャリアのセルのＳＩＢにノンバックワードコンパチブルコンポーネントキャリアのセルの情報を含めて、ＳＩＢを作成する方法である。すなわち、セルＡのＳＩＢにセルＡ’の情報を含めてＳＩＢを作成する方法である。このようにすることで、セルＡで報知されるＳＩＢの数を変えることなく、セルＡ’の情報をセルＡで報知することが可能となる。
【００５２】
第２の例は、第１の例において、バックワードコンパチブルコンポーネントキャリアのセルのＳＩＢに含める情報をノンバックワードコンパチブルコンポーネントキャリアのセルのセル固有の情報のみに限定して作成する方法である。このようにすることで、基地局がバックワードコンパチブルコンポーネントキャリアで報知される報知情報を減らし、報知情報を報知する無線リソースを減らすことができ、その無線リソースを端末個別のデータ送信などに割り当てることにより、端末のスループットを向上することができる。また、端末が受信する報知情報を減らすことができ、端末の消費電力を減らすことができる。
【００５３】
第３の例は、第１の例において、バックワードコンパチブルコンポーネントキャリアのセルのＳＩＢに含める情報をノンバックワードコンパチブルコンポーネントキャリアのセルのキャリアアグリゲーションを維持するのに必要な情報（例えば、無線リソースコンフィグコモンやＭＢＳＦＮサブフレームコンフィグリストなど）に限定して作成する方法である。このようにすることで、さらに基地局がバックワードコンパチブルキャリアで報知する報知情報を減らすことができ、報知情報を報知する無線リソースを減らすことができ、その無線リソースを端末個別のデータ送信などに割り当てることにより、端末のスループットを向上することができる。また、端末が受信する報知情報を減らすことができ、端末の消費電力を減らすことができる。
【００５４】
第４の例は、ノンバックワードコンパチブルコンポーネントキャリアのセルの情報とバックワードコンパチブルコンポーネントキャリアのセルの情報との差分によって新しいＳＩＢを作成する方法である。すなわち、セルＡのＳＩＢ１とセルＡ’のＳＩＢ１の差分によりＳＩＢｘ１を作成し、セルＡのＳＩＢ２とセルＡ’のＳＩＢ２の差分によりＳＩＢｘ２を作成し、同様に他のＳＩＢにおいても差分により新しいＳＩＢを作成する方法である。この場合、アイドル状態の端末は新しいＳＩＢを読まないようにすることで、アイドル状態の端末が余分な情報を受信することを避け、消費電力を抑えることができる。
【００５５】
第５の例は、第４の例において、差分によって作成するＳＩＢをセル固有の情報のみに限定して作成する方法である。すなわち、例えば、セルＡのＳＩＢ２とセルＡ’のＳＩＢ２の差分のＳＩＢだけを作成する方法である。このようにすることで、基地局がバックワードコンパチブルキャリアで報知する報知情報を減らすことができ、報知情報を報知する無線リソースを減らすことができ、その無線リソースを端末個別のデータ送信などに割り当てることにより、端末のスループットを向上することができる。また、端末が受信する報知情報を減らすことができ、端末の消費電力を減らすことができる。さらに追加するＳＩＢを限定することにより、スケジューリングを簡易に行うことができる。
【００５６】
第６の例は、第４の例において、差分によって作成するＳＩＢの中身をキャリアアグリゲーションを維持するのに必要な情報（例えば、無線リソースコンフィグコモンやＭＢＳＦＮサブフレームコンフィグリストなど）に限定して作成する方法である。このようにすることで、さらに基地局がバックワードコンパチブルキャリアで報知する報知情報を減らすことができ、報知情報を報知する無線リソースを減らすことができ、その無線リソースを端末個別のデータ送信などに割り当てることにより、端末のスループットを向上することができる。また、端末が受信する報知情報を減らすことができ、端末の消費電力を減らすことができる。
【００５７】
第７の例は、上記第５から第６の例において作成される差分のＳＩＢを一つのＳＩＢにまとめて作成する方法である。このようにすることで、追加するＳＩＢの数を減らすことができ、スケジューリングを簡易に行うことができる。
なお、上記例以外の方法でＳＩＢを作成してもよい。
【００５８】
なお、図１５においては、バックワードコンパチブルコンポーネントキャリアセルとノンバックワードコンパチブルコンポーネントキャリアのセルが１対１の関係の場合を示したが、１対１ではなく、１対多の関係でもよい。すなわち、例えば、バックワードコンパチブルコンポーネントキャリアＡとノンバックワードコンパチブルコンポーネントキャリアＡ’とＡ’’の関係でもよい。その場合も上記と同様にＳＩＢを作成することができる。
【００５９】
さらに、上記図１５Ｃの第４から第６の例においては、差分によって作成したノンバックワードコンパチブルコンポーネントキャリアのセル同士のＳＩＢを１つにまとめてもよい。このようにすることで、ノンバックワードコンパチブルコンポーネントキャリアのセルが増えた場合に、ＳＩＢの数を変えずにすむ。
【００６０】
また、図１５では、バックワードコンパチブルコンポーネントキャリアのセルとノンバックワードコンパチブルキャリアのセルが対応していることを前提に説明したが、基地局は、端末にバックワードコンパチブルコンポーネントキャリアのセルとノンバックワードコンパチブルキャリアのセルを通知してもよい。通知する方法は、例えば、キャリアアグリゲーションを指示する際に一緒に対応関係を教える方法を用いても良い。この場合、例えば、ＲＲＣコネクションリコンフィギュレーション（RRC  Connection  Reconfiguration）を使用する。また、例えば、報知情報に対応関係に関する情報を含めて通知する方法を用いてもよい。この場合、例えば、ＳＩＢ５に含まれているInter  Freq  Carrier  Freq  Infoを拡張し、対応関係の情報を追加する。
【００６１】
対応関係の情報は、どのセルとどのセルが対応しているかという情報であり、例えば、番号などペアを示す。なお、対応関係の情報は、どちらが、バックワードコンパチブルキャリアで、どちらがノンバックワードコンパチブルキャリアかという情報を含んでいてもよい。なお、対応関係の情報と一緒にキャリアアグリゲーションが可能であるかどうかという情報も含めていてもよい。
【００６２】
ここで、ダウンリンクのセルとアップリンクのセルの対応関係について説明する。対応関係としては、いくつかの例が考えられる。
【００６３】
第１の例は、ダウンリンクのセルとアップリンクのセルは、自由にマッピングできるという対応関係である。すなわち、一部のアップリンクのセルが電波状況の悪化のため、あるいは、混んできてため、リソースがなかなか割り当てられない場合、別のアップリンクのセルでアック（ＡＣＫ）やナック（ＮＡＣＫ）などデータ受信に対する応答を送ることができ、無駄な再送を避けることができる方法である。
【００６４】
第２の例は、ダウンリンクのセルとアップリンクのセルはマッピングに制限を設けるという対応関係である。具体的には、バックワードコンパチブルコンポーネントキャリアのセルと対応したノンバックワードコンパチブルキャリアのセルは同じアップリンクを使用し、対応していないコンポーネントキャリアのセルは、別のアップリンクを使用するという対応関係である。すなわち、セルＡとセルＡ’は同じアップリンク（例えば、Ｘ）を使用し、セルＢとセルＢ’は同じアップリンクキャリア（例えば、Ｙ）を使用し、セルＢとセルＢ’はＸを使用できず、セルＡとセルＡ’はＹを使用できない。上記第１の例の対応関係では、アックやナックが自由にマッピングできるかわりに、端末や基地局がどのデータに対するアック、あるいはナックであるかを判断する必要があり、処理が複雑になるが、この方法では予め制限を設けているため、どのデータに対するアック、あるいはナックであるかを判断するのが容易にできる。また、これによって、バックワードコンパチブルコンポーネントキャリアとノンバックワードコンパチブルコンポーネントキャリアで同じアップリンクを使用するため、ノンバックワードコンパチブルコンポーネントキャリアでアップリンクの情報を報知する必要がなくなり、無線リソースコンフィグコモンからアップリンクに関する情報をなくすことができる。
【００６５】
なお、本発明は、これら全ての形態に対して適用できるものである。
【００６６】
上記で説明したキャリアアグリゲーションは例示にすぎず、本発明において使用可能なセルの数は、これらの例に限定されるものではない。また、本発明では、場合によっては（状況に応じて）、１つのセルだけを使用してもよい。
【００６７】
以下の実施の形態では、基地局と端末が、複数のキャリア周波数（例えば、６つの周波数ｆ１、ｆ２、ｆ３、ｆ４、ｆ５、ｆ６）のコンポーネントキャリアを利用して通信できる無線通信システムを例として説明する。この場合、１つの基地局によって、複数のキャリア周波数の各々につき、複数のセルが構成される。
【００６８】
また、以下の実施の形態において、端末は、携帯電話機であり、基地局は、携帯電話機の基地局である。そして、以下の実施の形態では、３ＧＰＰで規格化されている移動通信技術であるＬＴＥ、ＳＡＥ（System  Architecture  Evolution）に本発明を適用した場合について説明する。しかし、本発明は、３ＧＰＰで規定されている上記の規格に限らず、無線ＬＡＮ（Wireless  Local  Area  Network）、ＩＥＥＥ８０２.１６、ＩＥＥＥ８０２.１６ｅまたはＩＥＥＥ８０２.１６ｍ等のＷｉＭＡＸ（Worldwide  Interoperability  for  Microwave  Access）、３ＧＰＰ２、ＬＴＥ−Ａ、または第四世代移動通信技術等の無線アクセス技術に適用することができる。
【００６９】
以下、上記の本発明の実施の形態における無線通信システム及びそれを構成する端末及び基地局について、より具体的に説明する。
【００７０】
（第１の実施の形態）
図１から図８を参照して、本発明の第１の実施の形態の無線通信システムを説明する。第１の実施の形態に係る無線通信システムは、端末１０及び基地局５０から構成される。
【００７１】
図１は、第１の実施の形態の端末１０のブロック図であり、図２は第１の実施の形態の基地局５０のブロック図である。無線通信システムにおいて、基地局５０は、無線資源（例えば、周波数領域、時間領域での周波数帯域）の割り当て及び管理を行い、端末１０のための無線アクセスネットワークのアクセスポイントの役割を有している。端末１０は、ダウンリンクを介して基地局５０から送信された信号を受信する。
【００７２】
端末１０及び基地局５０の具体的な説明の前に、本実施の形態の無線通信システムによる報知情報の報知方法の概要について説明する。
【００７３】
［報知方法の概要］
図３は、第１の実施の形態に係る無線通信システムにおける報知情報の報知方法の概要を説明するための図である。
【００７４】
基地局５０は、基地局５０の配下のセルの報知情報を管理する（ステップＳ３１）。
【００７５】
基地局５０は、基地局５０の配下のセルの報知情報の変更に基づいて、報知情報の変更を通知する必要があるセル配下の端末１０に対して、セル毎に自セルの報知情報の変更の有無（後述の「システム情報モディフィケーション」に相当する）と他セルの報知情報の変更の有無（後述の「他セルモディフィケーション」（Other  Cell  Modification）に相当する）を記したページングメッセージ（以下単に「ページング」という）を作成する（ステップＳ３２）。
【００７６】
基地局５０は、報知情報の変更を通知する必要があるセル配下の端末１０にページングを送信する（ステップＳ３３）。
【００７７】
端末１０は、キャリアアグリゲーションをしている複数のセルの中の特定のセルにおいて、ページングを受信する（ステップＳ３４）。この特定のセルは、予め基地局５０から指示されたセル、又は端末１０自身が決めたセルである。このようにページングを常時受信するセルを特定することによって、キャリアアグリゲーションに使用しているセルの報知情報を報知するセル全てで常時ページングを受信する必要がなくなるため、ページングの受信回数を減らすことができる。
【００７８】
端末１０は、ページングに自セルの報知情報の変更通知がある場合（システム情報モディフィケーションがオンの場合）、自セルの報知情報を受信し、他セルの報知情報の変更通知がある場合（他セルモディフィケーションがオンの場合）、キャリアアグリゲーションに使用しているセルの報知情報を報知しているセルからページングを受信し、報知情報の変更の有無（システム情報モディフィケーション）を確認し、報知情報の変更がある場合、報知情報を受信する（ステップＳ３５）。このようにページングにより報知情報の変更の有無を確認することによって、報知情報の変更がなかった場合に、ページングよりもデータサイズが大きくなりやすい報知情報の受信を回避でき、消費電力を抑えられる。
【００７９】
図４は、端末１０が基地局５０からページングを受信する動作の例を示す。図４の例では、端末１０は、セル１、セル４、セル７を使用してキャリアアグリゲーションを行っており、セル１を特定のセルとして、通常時にはセル１からページングを受信している。端末１０は、セル１から他セルモディフィケーションがオンであるページングを受信すると（動作Ａ４１）、セル４とセル７からのページングの受信を開始する（動作Ａ４２）。端末１０は、セル４からシステム情報モディフィケーションがオフであるページングを受信すると（動作Ａ４３）、セル４からは、報知情報を受信しないことを決定する（動作Ａ４４）。この動作により、端末は変更されていない報知情報の受信回数を減らすことができる。また、端末１０は、セル７からのページングの受信で、システム情報モディフィケーションがオンであるページングを受信すると（動作Ａ４５）、セル７から必要な報知情報を受信することを決定する（動作Ａ４６）。端末１０は、セル７から報知される必要な報知情報を受信する（動作Ａ４７）。
【００８０】
なお、端末は、キャリアアグリゲーションに使用しているセルの報知情報を報知している複数のセル（図４のセル４とセル７）からのページング受信を並行に行う機能を有していても良い。このようにすることで、キャリアアグリゲーションに使用しているセルの報知情報を報知しているセルからのページング受信にかかる時間を短くでき、変更周期内で必要なページングを高確率で全て受信できる。その結果、報知情報の変更の有無を確認するために、直に報知情報の受信することを回避でき、報知情報の変更がなかった場合に発生する無駄な報知情報の受信を回避でき、消費電力を抑えられる。
【００８１】
（端末の構成）
図１を参照して、第１の実施の形態における端末の構成を説明する。端末１０は、受信部１１０と、報知情報管理部１２０と、ページング管理部１３０と、制御部１４０とを備えている。
【００８２】
受信部１１０は、制御部１４０などから送られてくる指示に応じて基地局５０から送信されるページング、報知情報、個別制御情報などを受信する機能を備えている。受信部１１０は、ページングをページング管理部１３０に出力し、報知情報を報知情報管理部１２０に出力し、個別制御情報を制御部１４０に出力する。
【００８３】
報知情報管理部１２０は、受信部１１０から入力された報知情報をセル毎に管理している。報知情報管理部１２０は、受信部１１０から入力された報知情報が、報知情報管理部１２０で管理している報知情報よりも新しいか否かを判定する。入力された報知情報が報知情報管理部１２０で管理している報知情報よりも新しい場合、報知情報管理部１２０は管理している報知情報を更新する。入力された報知情報が報知情報管理部１２０で管理している報知情報よりも古い場合、報知情報管理部１２０は管理している報知情報を変更しない。
【００８４】
報知情報管理部１２０は、管理している報知情報が更新されると制御部１４０に通知する。このとき、報知情報管理部１２０は、管理している報知情報が更新されたことに応じて、制御部１４０にその更新された報知情報を出力してもよい。このようにすることで、制御部１４０は、必要な情報が変更されたことに気づくと同時に、当該更新された報知情報を使用できる。
【００８５】
報知情報管理部１２０は、制御部１４０から報知情報を出力するように要求があった場合には、制御部１４０に報知情報を出力する。報知情報管理部１２０は、管理している報知情報及び制御部１４０からの指示に基づき、動作を行う。例えば、報知情報管理部１２０は、制御部１４０から通知されている報知情報の有効期限に基づいて、管理している報知情報の有効期限が切れたと判定した場合に、報知情報の更新が必要であると判断し、制御部１４０に報知情報の更新を要求する。
【００８６】
ページング管理部１３０は、受信部１１０から入力されたページングを管理する。
【００８７】
図５は、ページングのフォーマットの例を示す図である。ページングは、ページングレコードリスト（Paging  Record  List）、システム情報モディフィケーション（System  Info  Modification）、ｅｔｗｓ−インディケーション（etws-Indication）、他セルモディフィケーション（Other  Cell  Modification）により構成される。ページングレコードリスト、システム情報モディフィケーション、ｅｔｗｓ−インディケーションは、従来技術と同様である。
【００８８】
本実施の形態では、従来のページングに対して他セルモディフィケーションが追加されている。この他セルモディフィケーションは、ページングを受信したセル以外のセル（他のセル）において報知情報が変更されたことを示すためのフラグである。他セルモディフィケーションは、他のセルにおいて報知情報が変更された場合は、オンにされ、他のセルにおいて報知情報が変更されていない場合は、オフにされる。
【００８９】
図１に戻って、ページング管理部１３０は、自セル報知情報変更判定部１３１と他セル報知情報変更判定部１３２を有している。
【００９０】
自セル報知情報変更判定部１３１は、受信部１１０にて受信したページングのシステム情報モディフィケーションに基づいて、当該ページングを受信したセルの報知情報の変更の有無を判定する。他セル報知情報変更判定部１３２は、受信部１１０にて受信したページングのシステム情報モディフィケーションと他セルモディフィケーションに基づいて、当該ページングを受信したセル以外の他のセルの報知情報の変更の有無を判定する。自セル報知情報変更判定部１３１は、入力されたページングのシステム情報モディフィケーションがオンである場合、制御部１４０にページングを受信したセルの報知情報が変更されたことを通知する。
【００９１】
他セル報知情報変更判定部１３２は、入力されたページングの他セルモディフィケーションがオンで、キャリアアグリゲーションに使用しているセルの報知情報を報知しているセルの中でページングを受信していないセルがある場合、制御部１４０にキャリアアグリゲーションに使用しているセルの報知情報を報知しているセルの中でページングを受信していないセルのページングを受信するように通知する。
【００９２】
他セル報知情報変更判定部１３２は、入力されたページングのシステム情報モディケーションがオフで他セルモディフィケーションがオフの場合において、キャリアアグリゲーションに使用しているセルの報知情報を報知しているセルの中でページングを受信していないセルがあるときは、制御部１４０にキャリアアグリゲーションに使用しているセルの報知情報を報知しているセルの中でページングを受信していないセルの報知情報を受信するように通知する。
【００９３】
他セル報知情報変更判定部１３２は、入力されたページングのシステム情報モディケーションがオンで他セルモディフィケーションがオフの場合において、制御部１４０に他のセルのページング受信を通知していたときは、制御部１４０に他のセルのページング受信の停止を通知する。
【００９４】
ページング管理部１３０は、同じ変更周期内に同じセルから、システム情報モディフィケーションと他セルモディフィケーションの内容が同じページングを二度以上受信すると、一度目の受信時は、システム情報モディフィケーションと他セルモディフィケーションの内容に応じた処理を実行するが、二度目以降の受信時は、システム情報モディフィケーションと他セルモディフィケーションの内容に応じた処理を実行しない。
【００９５】
制御部１４０は、キャリアアグリゲーションに使用している複数のコンポーネントキャリアに対応する複数のセルのうちの、特定のセルのページングを受信するように受信部１１０を制御する。前述のように、この特定のセルは、予め基地局５０から指定されたセル、又は端末１０自身が決めたセルである。
【００９６】
制御部１４０は、ページング管理部１３０の他セル報知情報変更判定部１３２から、通知された内容に応じて、受信部１１０を制御する。例えば、他セル報知情報変更判定部１３２から、キャリアアグリゲーションに使用しているセルの報知情報を報知しているセルの中でページングを受信していないセルのページングを受信するように通知された場合、制御部１４０は、当該セルのページングを受信するように受信部１１０を制御する。また、例えば、キャリアアグリゲーションに使用しているセルの報知情報を報知しているセルの中でページングを受信していないセルの報知情報を受信するように通知された場合、制御部１４０は、当該セルの報知情報を受信するように受信部１１０を制御する。また、例えば、他のセルのページング受信の停止を通知された場合、制御部１４０は、当該セルのページング受信を停止するように受信部１１０を制御する。
【００９７】
また、制御部１４０は、ページング管理部１３０の自セル報知情報変更判定部１３１から、ページングを受信したセルの報知情報に変更があると通知された場合に、当該セルの報知情報を受信するように受信部１１０を制御する。
【００９８】
上記のように、キャリアアグリゲーションを行っている端末１０は、ページングに含まれる他セルモディフィケーションによって、ページングを受信していないセルにおいて、報知情報の変更があった場合、その変更に気づくことができ、その報知情報を受信することができる。すなわち、キャリアアグリゲーションを行っている端末１０は、通常１つのセル（特定のセル）のみにおいてページングを受信する。そして、端末１０は、この特定のセルにおいて受信したページングに基づいて、ページングを受信していないセルの報知情報の変更に気づくことができ、キャリアアグリゲーションに行うのに必要な情報を取得することができる。このことによって、端末１０は、キャリアアグリゲーションをしているすべてのセルにおいてページングを監視する必要がなく、消費電力を削減することができる。
【００９９】
制御部１４０は、受信部１１０、ページング管理部１３０、又は報知情報管理部１２０から入力された内容に基づいて、受信する必要のあるページングや報知情報の報知スケジュール情報（報知周期及び時間窓の長さや受信タイミング）を受信部１１０に出力し、該当の情報の受信を指示する。
【０１００】
このとき、制御部１４０は、報知情報管理部１２０に必要な情報を要求して、必要な情報、例えば、報知情報の報知スケジュール情報などを取得する。また、制御部１４０は、報知情報の管理に必要な情報を報知情報管理部１２０に出力する。
【０１０１】
例えば、制御部１４０は、ページング管理部１３０からページングを受信したセルについて、報知情報を受信するように通知されると、当該セルから報知情報を受信するように受信部１１０に通知する。また、制御部１４０は、ページング管理部１２０から、キャリアアグリゲーションに使用しているセルの報知情報を報知しているセルで、まだ報知情報の変更を確認していないセルのページングを受信するように通知されると、受信部１１０に当該セルからページングを受信するように通知する。
【０１０２】
（基地局の構成）
図２は、第１の実施の形態に係る基地局の構成を示すブロック図である。図２を参照して、基地局の構成を説明する。基地局５０は、受信部５１０と、報知情報管理部５２０と、ページング生成部５３０と、制御部５４０と、送信部５５０とを備えている。
【０１０３】
受信部５１０は、ネットワーク（例えば、ＭＭＥ（Mobility  Management  Entity））から送られてきたシステム情報などを受信し、制御部５４０に出力する。
【０１０４】
制御部５４０は、ネットワークからシステム情報に関する情報が入力され、あるいは、制御部５４０自身がシステム情報の変更が必要と判断すると、基地局５０の配下のセルの中で報知情報が変更されるセルに関して、変更に必要な情報を報知情報管理部５２０に出力する。
【０１０５】
制御部５４０は、基地局５０の配下のセルの報知情報が変更された場合、どのセルの報知情報が変更されたかを示す情報をページング生成部５３０に出力する。
【０１０６】
なお、制御部５４０は、このとき、各セルにおいて、端末がキャリアアグリゲーションを維持するのに必要なＳＩＢ（例えば、ＳＩＢ２）が変更されたか否かを示す情報をページング生成部５３０に出力する機能を有していても良い。また、制御部５４０は、このとき、各セルにおいて、端末がキャリアアグリゲーションを維持するのに必要な情報（例えば、無線リソースコンフィグコモンとＭＢＳＦＮサブフレームコンフィグリスト）が変更されたか否かを示す情報をページング生成部５３０に出力する機能を有していても良い。このようにすることで、ページング生成部５３０は、端末１０がキャリアアグリゲーションを維持するのに必要なＳＩＢ、あるいは、端末１０がキャリアアグリゲーションを維持するのに必要な情報が変更された場合にのみ、他セルモディフィケーションをオンにしたページングを生成する機能を有することができ、端末１０が必要な情報が変更されていない報知情報を受信する回数が減り、消費電力を抑えることができる。
【０１０７】
制御部５４０は、システム情報の変更に関する情報がネットワークから入力された場合、その情報をページング生成部５３０に出力する。制御部５４０は、報知情報、ページングを端末に通知するタイミングならびに通知する内容を送信部５５０に出力する。このとき、制御部５４０が通知する内容を保持していない場合、報知情報管理部５２０、又はページング生成部５３０に必要な情報の出力を通知する。
【０１０８】
報知情報管理部５２０は、制御部５４０から入力された内容に基づいてセル毎に報知する報知情報を管理する。報知情報管理部５２０は、制御部５４０からの要求に応じて、報知情報を制御部に出力する。
【０１０９】
ページング生成部５３０は、制御部５４０から入力された内容に基づいてページングを生成する。例えば、基地局５０の配下のセル１つだけの報知情報の変更が通知されると、そのセルにおいてはシステム情報モディフィケーションをオンにし、他セルモディフィケーションをオフにしたページングを生成する。また、それ以外のセルについては、システム情報モディフィケーションをオフにし、他セルモディフィケーションをオンにしたページングを生成する。また、基地局５０の配下の複数のセルの報知情報の変更が通知されると、変更されると通知されたセルについては、システム情報モディフィケーションをオンにし、他セルモディフィケーションをオンにしたページングを生成し、それ以外のセルについては、システム情報モディフィケーションをオフにし、他セルモディフィケーションをオンにしたページングを生成する。
【０１１０】
なお、ページング生成部５３０は、端末１０がキャリアアグリゲーションを維持するのに必要なＳＩＢが変更されたか否か、あるいは、端末１０がキャリアアグリゲーションを維持するのに必要な情報が変更されたか否かの情報が入力される場合、他セルモディフィケーションのオン、オフを上記情報から決める機能を有していても良い。すなわち、ページング生成部５３０は、特定のセル以外の他のセルにおいて端末１０がキャリアアグリゲーションを維持するのに必要なＳＩＢが変更される場合、他セルモディフィケーションがオンのページングを生成し、特定のセル以外の他のセルにおいて端末１０がキャリアアグリゲーションを維持するのに必要なＳＩＢが変更されない場合、他セルモディフィケーションがオフのページングを生成する機能を有していても良いし、ページング生成部５３０は、特定のセル以外の他のセルにおいて端末１０がキャリアアグリゲーションを維持するのに必要な情報が変更される場合、他セルモディフィケーションがオンのページングを生成し、特定のセル以外の他のセルにおいて端末１０がキャリアアグリゲーションを維持するのに必要な情報が変更されない場合、他セルモディフィケーションがオフのページングを生成する機能を有していても良い。これによって、他セルモディフィケーションがオフのページングが生成される確率が高くなり、他のセルのページングを受信する回数が減り、消費電力を抑えることができる。
【０１１１】
ページング生成部５３０は、生成したページングを制御部５４０に出力する。
【０１１２】
送信部５５０は、制御部５４０からの通知に従い、端末１０にページング及び報知情報を送信する。
【０１１３】
（無線通信システムの動作）
以上のように構成された無線通信システムについて、図面を参照してその動作を説明する。
【０１１４】
図６及び図７は、本実施の形態の端末１０の動作の例を示すフロー図である。
【０１１５】
図６は、端末１０が特定のセルにてページングを受信した後の端末１０の動作を示すフロー図である。端末１０は、基地局５０から送信されたページングを特定のセルのコンポーネントキャリアを使用して受信する（ステップＳ６１）。
【０１１６】
次に、端末１０は、特定のセルにて受信したページングのシステム情報モディフィケーションがオンであるか否かを確認する（ステップＳ６２）。端末１０は、ステップＳ６２にてシステム情報モディフィケーションがオンであると（ステップＳ６２でＹＥＳ）、特定のセルにて受信したページングの他セルモディフィケーションがオフであるか否かを確認する（ステップＳ６３）。他セルモディフィケーションがオフである場合には（ステップＳ６３でＹＥＳ）、特定のセルの報知情報を受信すると判断して（ステップＳ６４）、処理を終了する。他セルモディフィケーションがオンである場合は（ステップＳ６３でＮＯ）、特定のセルの報知情報を受信すると判断して（ステップＳ６５）、キャリアアグリゲーションに使用しているセルの報知情報を報知している他のセルのページングを受信する処理（ステップＳ６７）に移行する。
【０１１７】
ステップＳ６２で特定のセルのページングのシステム情報モディフィケーションがオフであった場合は（ステップＳ６２でＮＯ）、他セルモディフィケーションがオンであるかを確認する（ステップＳ６６）。他セルモディフィケーションがオンである場合は（ステップＳ６６でＹＥＳ）、キャリアアグリゲーションに使用しているセルの報知情報を報知している他のセルのページングを受信する処理（ステップＳ６７）に移行する。他セルモディフィケーションがオフである場合には（ステップＳ６６でＮＯ）、処理を終了する。
【０１１８】
図７は、キャリアアグリゲーションに使用しているセルの報知情報を報知している他のセルのページングを受信する場合の端末１０の動作を示すフロー図である。端末１０は、キャリアアグリゲーションに使用しているセルの報知情報を報知している他のセルのページングを受信する（ステップＳ７１）。そして、そのページングにおいてシステム情報モディフィケーションがオンであるかを確認する（ステップＳ７２）。
【０１１９】
端末１０は、ステップ７２でシステム情報モディフィケーションがオンであると（ステップＳ７２でＹＥＳ）、当該ページングにおいて他セルモディフィケーションがオフであるか否かを確認する（ステップＳ７３）。他セルモディフィケーションがオフであるときは（ステップＳ７３でＹＥＳ）、当該ページングを受信しているセルの報知情報を受信すると判断して（ステップＳ７４）、処理を終了する。他セルモディフィケーションがオンであると（ステップＳ７３でＮＯ）、当該ページングを受信しているセルの報知情報を受信すると判断して（ステップＳ７５）、すべてのセルのページングを受信したかを確認する（ステップＳ７６）。
【０１２０】
一方、ステップＳ７２にてシステム情報モディフィケーションがオフである場合は（ステップＳ７２でＮＯ）、他セルモディフィケーションがオンであるかを確認する（ステップＳ７７）。他セルモディフィケーションがオンであるときは（ステップＳ７７でＹＥＳ）、すべてのセルのページングを受信したかを確認する（ステップＳ７６）。
【０１２１】
ステップＳ７６ですべてのセルのページングを受信しているときは（ステップＳ７６でＹＥＳ）、処理を終了する。ステップＳ７６で、ページングを受信していないセルがあるときは（ステップＳ７６でＮＯ）、ステップＳ７１に戻って、さらにキャリアアグリゲーションに使用している報知情報を報知している他のセルのうち、まだ確認していないセルのページングを受信する。
【０１２２】
ステップＳ７７で他セルモディフィケーションがオフであるときは（ステップＳ７７でＮＯ）、キャリアアグリゲーションに使用しているセルの報知情報を報知しているセルのうち、ページングにより、報知情報の変更を確認していないすべてのセル、及びステップＳ６５（図６参照）やステップＳ７５にて報知情報を受信すると判断したセルの報知情報を受信する（ステップＳ７８）。
【０１２３】
上記の図６及び図７のフローによる処理が終了した後、次の変更周期にて必要なセルの報知情報を受信する。例えば、図６のステップＳ６４にて特定のセルの報知情報を受信すると判断して処理を終了した場合は、次の変更周期で特定のセルの報知情報を受信する。また、図７のステップＳ７４にてページングを受信しているセルの報知情報を受信すると判断して処理を終了した場合は、次の変更周期で当該報知情報を受信すると判断したセルの報知情報を受信するとともに、その前に図６のステップＳ６５にて特定のセルの報知情報を受信すると判断しているときは、特定のセルの報知情報も受信する。さらに、図７のステップＳ７６にてすべてのセルのページングを受信したと判断して処理を終了した場合において、その前にステップＳ７５にて報知情報を受信すると判断しているときは、次の変更周期で当該受信すると判断したセルの報知情報を受信するとともに、さらにその前に図６のステップＳ６５にて特定のセルの報知情報を受信すると判断しているときは、次の変更周期で特定のセルの報知情報を受信する。
【０１２４】
上記のフローのように、他のセルのページングを受信して（ステップＳ７１）、そのページングを確認する際に、システム情報モディフィケーションがオンで、他セルモディフィケーションがオフである場合（ステップＳ７２でＹＥＳの後、ステップＳ７３でＹＥＳの場合）は、すでに報知情報が変更された他のセルのすべてを確認したことを意味する。よって、この場合には、未確認の他のセルのページングをさらに受信することなく処理を終了する。これによって、報知情報が変更されていない他のセルについてページングの受信を省略でき、消費電力を抑えることができる。
【０１２５】
また、上記のフローのように、他のセルのページングを受信して（ステップＳ７１）、そのページングを確認する際に、他セルモディフィケーションがオンである場合（ステップＳ７３でＮＯ、及びステップＳ７７でＹＥＳの場合）に、すべてのセルのページングを受信したかを確認し（ステップＳ７６）、すでにすべてのセルについてページングを受信している場合（ステップＳ７６でＹＥＳの場合）に、処理を終了することで、他のセルで何度もページングを受信することを避けて、ページングの受信回数を減らすことができる。これにより、消費電力を抑えることができる。
【０１２６】
また、上記のフローのように、他のセルのページングを受信して（ステップＳ７１）、そのページングを確認する際に、システム情報モディフィケーションがオフで、他セルモディフィケーションもオフである場合（ステップＳ７２でＮＯの後、ステップＳ７７でもＮＯの場合）は、特定のセルで受信したページングの内容と矛盾する。この場合は、他のセルで受信したページングは、特定のセルでのページング受信とは異なる変更周期に受信したページングであると考えられる。すなわち、すでに次の変更周期が開始しており、ページングによっては報知情報の変更の有無を判断できなくなっていることを意味している。従って、この場合には、未確認のすべてのセルにおいて、実際に必要な報知情報を受信することで（ステップＳ７８）、必要な報知情報の変更の有無を確認する。
【０１２７】
なお、上記フローに記載はしていないが、端末１０は、特定のセルにおいて、一変更周期内に複数回ページングを受信することがある。この場合、システム情報モディフィケーションと他セルモディフィケーションに関する内容が、一度目に受信した内容と二度目以降に受信した内容で同じ場合、二度目以降には、上記フローの動作をせずに処理を終了する。このようにすることで、重複する動作を減らすことができる。これにより、消費電力を抑えることができる。
【０１２８】
図８は、報知情報が変更された際に、本実施の形態の基地局５０が、ページングを送信する動作の例を示す図である。基地局５０は、基地局５０の配下のセルの報知情報を管理する（ステップＳ８１）。基地局５０は、報知情報の変更があった場合、報知情報を報知しているセル毎に、セル配下の端末に送信するページングを決定する（ステップＳ８２）。報知情報の変更があったセルについては（ステップＳ８３でＹＥＳ）、他セルにおいて報知情報の変更がない場合には（ステップＳ８４でＹＥＳ）、セル配下の端末にシステム情報モディフィケーションをオンにし、他セルモディフィケーションをオフにしたページングを送信する（ステップＳ８５）。
【０１２９】
基地局５０は、報知情報の変更があったセルについて（ステップＳ８３でＹＥＳ）、他セルにおいて報知情報の変更がある場合には（ステップＳ８４でＮＯ）、セル配下の端末に、システム情報モディフィケーションをオンにし、かつ他セルモディフィケーションをオンにしたページングを送信する（ステップＳ８６）。
【０１３０】
基地局５０は、報知情報の変更がなかったセルについては（ステップＳ８３でＮＯ）、他セルの報知情報の変更がない場合には（ステップＳ８７でＹＥＳ）、セル配下の端末に、システム情報モディフィケーションをオフにし、かつ他セルモディフィケーションをオフにしたページングを送信する（ステップＳ８８）。
【０１３１】
基地局は、報知情報の変更がなかったセルについて（ステップＳ８３でＮＯ）、他セルにおいて報知情報の変更がある場合には（ステップＳ８７でＮＯ）、セル配下の端末にシステム情報モディフィケーションをオフにし、かつ他セルモディフィケーションをオンにしたページングを送信する（ステップＳ８９）。
【０１３２】
以上のように、第１の実施の形態の無線通信システムによれば、キャリアアグリゲーションの際に、端末は、キャリアアグリゲーションに使用しているセルの報知情報を報知している複数のセルのうちの特定のセルのみにおいてページングを受信し、当該特定のセルのページングに基づいて、他のセルの報知情報が変更されたかを確認し、他のセルの報知情報が変更されたときにのみ、他のセルのページングを受信するので、ページングの受信にかかる電力消費を大幅に削減できる。
【０１３３】
なお、本実施の形態では、基地局５０がセル毎のページングを作成する際に、ページングを送信するセル以外の他のセルにおいて、報知情報の一部が変更される場合に、他セルモディフィケーションをオンにする方法を説明したが、ページングを送信するセル以外の他のセルにおいて、キャリアアグリゲーションを維持するのに必要な情報を報知するＳＩＢが変更された場合にのみ、他セルモディフィケーションをオンにする方法を用いてもよい。これによって、ページングを送信するセル以外の他のセルにおいて必要なＳＩＢが変更された場合にのみ、端末は当該他のセルのページングを受信するので、さらに、ページングを送信するセル以外の他のセルにおけるページングの受信回数を減らすことができ、消費電力を削減することができる。例えば、キャリアアグリゲーションは、端末がコネクテッド状態である場合にのみ行われるとすると、ＳＩＢ２が変更された場合にのみ、他セルモディフィケーションをオンにする。
【０１３４】
また、ページングを送信するセル以外の他のセルにおいて、キャリアアグリゲーションを維持するのに必要な情報が変更された場合にのみ、他セルモディフィケーションをオンにする方法を用いてもよい。これによって、ページングを送信するセル以外の他のセルにおいて必要な最小限の情報が変更された場合にのみ、当該他のセルのページングを受信するので、さらに、ページングを送信するセル以外の他のセルにおけるページングの受信回数を減らすことができ、消費電力を削減することができる。ＬＴＥでは、例えば、各チャネル設定、アップリンクの電力制御情報やサイクリックプレフィックス長など、無線通信を行うために基地局と同期をとる必要がある情報が含まれている無線リソースコンフィグコモンとＭＢＭＳサービスやＲｅｌａｙサービスなど、主にサービスを受けるために使用されるＭＢＳＦＮサブフレームコンフィグリストとが変更された場合にのみ、他セルモディフィケーションをオンにする。これによって、ページングを送信するセル以外の他のセルにおいて無線通信を行うのに必要な情報とサービスを享受するために必要な最小限の情報が変更された場合にのみ、当該他のセルのページングを受信するので、さらに、ページングを送信するセル以外のセルにおけるページングの受信回数を減らすことができ、消費電力を削減することができる。
【０１３５】
なお、上記ページングフォーマットは例示であり、別のページングフォーマットを使用してもよい。例えば、違うＰ−ＲＮＴＩを用いることで、従来のページングフォーマットの拡張ではなく、別のページングフォーマットを使用してもよい。また、例えば、他セルモディフィケーションがオンかオフかだけを示すページングフォーマットにしてもよい。この場合、端末は、システム情報（System  Information）がオフであると判断した処理をしてもよい。
【０１３６】
（第２の実施の形態）
図１６から図１９を参照して、本発明の第２の実施の形態の無線通信システムを説明する。本発明の第２の実施の形態に係る無線通信システムは、端末２０及び基地局６０から構成される。
【０１３７】
図１６は、本実施の形態の端末２０の構成を示すブロック図である。図１９は、本実施の形態の基地局６０の構成を示すブロック図である。本実施の形態に係る無線通信システムにおいて、基地局６０は、無線資源（例えば、周波数領域、時間領域での周波数帯域）の割り当て及び管理を行い、端末２０のための無線アクセスネットワークのアクセスポイントの役割を有している。端末２０は、ダウンリンクを介して基地局６０から送信された信号を受信する。
【０１３８】
本実施の形態では、特定のセルのページングに、他のセルの報知情報の変更が特定のセルの報知情報の変更と同じか否かを示す情報を含めることにより、上述の第１の実施の形態よりさらに、端末が他のセルのページングを受信する回数を削減できる無線通信システムについて説明する。
【０１３９】
（端末の構成）
図１６を参照して、本実施の形態の端末２０の構成を説明する。端末２０が第１の実施の形態１の端末１０と異なる点は、報知情報管理部２２０とページング管理部２３０と制御部２４０の構成である。そのため、第１の実施の形態の端末１０の構成要素と同一の構成要素については、同一の参照番号をそれぞれ付して、その詳細な説明は省略する。
【０１４０】
端末２０は、受信部１１０と、報知情報管理部２２０と、ページング管理部２３０と、制御部２４０とを備えている。
【０１４１】
報知情報管理部２２０は、第１の実施の形態の報知情報管理部１２０の機能に加え、制御部２４０から、あるセルの報知情報の一部をそれとは別のセルの報知情報の内容と同様に更新するように指示されると、その指示に従い動作を行う機能を有する。このようにすることで、端末２０内で報知情報の更新を行うことが可能となる。例えば、報知情報管理部２２０が、セル１とセル４の報知情報を管理している場合において、セル１の報知情報の更新があり、セル４の報知情報をセル１の報知情報の変更と同様に変更すべきときは、端末２０はセル１の報知情報を受信するだけでよく、セル４の報知情報はセル１の更新された報知情報を用いて更新することができる。なお、報知情報管理部２２０は、制御部２４０から更新内容を通知された場合、その指示通りに動作を行う。
【０１４２】
ページング管理部２３０は、受信部１１０から入力されたページングを管理する。
【０１４３】
図１７は、本実施の形態のページングのフォーマットの例を示す図である。図１７Ａは、他セルモディフィケーションがオフのときのページングフォーマットであり、図１７Ｂは、他セルモディフィケーションがオンのときのページングフォーマットである。他セルモディフィケーションがオフの場合、端末２０は第１の実施の形態と同じ動作をする。
【０１４４】
他セルモディフィケーションがオンである場合、ページングメッセージの他セルモディフィケーションには１ビットのモッドタイプ（Mod  type）が追加される。このモッドタイプは、他セルの報知情報の変更がページングを受信したセル（特定のセル）の報知情報の変更と同じであるか否かを示す情報である。
【０１４５】
モッドタイプが「０」であるときは、特定のセルにおける報知情報の変更と同じように、すべてのセルの報知情報の変更が行われたことを表す。モッドタイプが「１」であるときは、特定のセルにおける報知情報の変更とは異なるように、一部又はすべての他のセルの報知情報の変更が行われたことを表す。このようにすることで、端末２０は、モッドタイプが「０」である場合には、他のセルのページングを受信する必要はなく、さらに、他のセルから報知情報を受信する必要もなく、特定のセルの変更された報知情報を用いて、他のセルの報知情報を変更することができる。
【０１４６】
図１７Ｃは、他のセルの報知情報の変更があるか否か、及び他のセルの報知情報の変更が特定のセルの報知情報の変更と同様であるか否かを示すページングフォーマットの他の例を示している。図１７Ｃの例では、他セルモディフィケーションを２ビットで表している。他セルモディフィケーションが「００」又は「０１」である場合は、他セルの報知情報の変更がないことを表す。
【０１４７】
他セルモディフィケーションが「１０」の場合は、特定のセルにおける報知情報の変更と同様に、他のすべてのセルの報知情報の変更が行われたことを表す。他セルモディフィケーションが「１１」である場合は、特定のセルにおける報知情報の変更とは異なるように、一部又はすべての他のセルの報知情報の変更が行われたことを表す。このようにすることで、ページングサイズを常に同じとしたうえで、図１７Ａ及びＢの場合と同様に、他のセルの報知情報の変更が特定のセルの報知情報の変更と同様であるか否かを表すことができる。なお、上記の２ビットの割り当ては、一例であり、他の割り当てを行ってもよい。
【０１４８】
以下では、図１７Ａ及びＢのページングフォーマットを用いる場合について説明する。
【０１４９】
ページング管理部２３０は、自セル報知情報変更判定部１３１と他セル報知情報変更判定部２３１を有している。自セル報知情報変更判定部１３１は第１の実施の形態と同じ動作を行うので、説明を省略する。また、他セルモディフィケーションがオフであるページングを受信した場合の他セル報知情報変更判定部２３０の動作は、第１の実施の形態と同じであるので、説明を省略する。
【０１５０】
図１８は、端末２０の動作説明のためのフロー図である。図１８を参照して、他セルモディフィケーションがオンであるページングを受信したときの他セル報知情報変更判定部２３２の動作について説明する。他セル報知情報変更判定部２３２は、特定のセルにて他セルモディフィケーションがオンであるページングを受信すると（ステップＳ１８１）、モッドタイプが「０」であるかを確認する（ステップＳ１８２）。モッドタイプが「０」であると（ステップＳ１８２でＹＥＳ）、特定のセルの報知情報の変更と同様に、キャリアアグリゲーションに使用されているセルの報知情報を報知している他のセルの報知情報を変更するよう制御部２４０に通知する（ステップＳ１８３）。
【０１５１】
他セル報知情報変更判定部２３０は、モッドタイプが「１」であると（ステップＳ１８２でＮＯ）、キャリアアグリゲーションに使用されているセルの報知情報を報知している他のセルでページングを受信するように制御部２４０に通知する（ステップＳ１８４）。キャリアアグリゲーションに使用されているセルの報知情報を報知している他のセルでページングを受信する手順は、図７で説明した第１の実施の形態における手順と同じである。
【０１５２】
このように、特定のセルの報知情報の変更と、他のすべてのセルの報知情報の変更とが同じである場合、すなわち、モッドタイプが「０」である場合を設けることにより、キャリアアグリゲーション時に、キャリアアグリゲーションに使用されている他のセルのページングを受信する回数を削減することができ、消費電力を低減することができる。
【０１５３】
制御部２４０は、第１の実施の形態の制御部１４０の機能に加えて、ページング管理部２３０から、キャリアアグリゲーションに使用されている他のセルの報知情報を、特定のセルの報知情報の変更と同様に変更するよう通知されると、特定のセルで変更された報知情報を受信したことを確認した後、報知情報管理部２２０に、キャリアアグリゲーションに使用されている他のセルの報知情報を、特定のセルの更新された報知情報と同じ内容に変更するように通知する。このようにすることで、キャリアアグリゲーション時に、キャリアアグリゲーションに使用されている他のセルのページング及び報知情報を受信する回数を削減することができ、消費電力を低減することができる。
【０１５４】
なお、他のセルの報知情報を特定のセルの更新された報知情報と同じ内容に変更するように通知する場合、基地局６０は、ページングを作成するポリシーに従って、変更する情報を決定する。例えば、基地局６０が全セルにおいてＳＩＢ２が同じように変更される場合において、モッドタイプを「０」にしたページングを作成する場合、端末２０の制御部２４０は、他セルモディフィケーションがオンで、モッドタイプを「０」としたページングを受信すると、特定のセルにおいて受信した、更新されたＳＩＢ２に基づいて、他のセルのＳＩＢ２を更新するように報知情報管理部２２０に通知する。
【０１５５】
また、例えば、基地局６０が全セルにおいて無線リソースコンフィグコモンとＭＢＳＦＮサブフレームコンフィグリストとを同じように変更する場合において、モッドタイプを「０」にしたページングを作成する場合、端末２０の制御部２４０は、他セルモディフィケーションがオンで、モッドタイプを「０」としたページングを受信すると、特定のセルにおいて受信した、更新された無線リソースコンフィグコモンとＭＢＳＦＮサブフレームコンフィグリストに基づいて、他のセルの無線リソースコンフィグコモンとＭＢＳＦＮサブフレームコンフィグリストを更新するように報知情報管理部２２０に通知する。
【０１５６】
このようにすることで、キャリアアグリゲーションを維持するために必要な情報が変更された場合にのみ、他セルモディフィケーションをオンにすることによって、他のセルにおけるページングを受信する回数を減らして、消費電力を削減できることに加え、モッドタイプの対象も他セルモディフィケーションと同様に絞り込むことで、モッドタイプ「０」が示される回数が多くなり、他のセルのページングを受信する回数を減らすことができ、消費電力をさらに削減できる。
【０１５７】
（基地局の構成）
図１９は、第２の実施の形態の基地局６０の構成を示すブロック図である。図１９を参照して、基地局６０の構成を説明する。基地局６０が第１の実施の形態の基地局５０と異なる点は、ページング生成部６３０と制御部６４０の構成である。そのため、第１の実施の形態の基地局５０の構成要素と同一の構成要素については、同一の参照番号をそれぞれ付して、その詳細な説明は省略する。
【０１５８】
基地局６０は、受信部５１０と、報知情報管理部５２０と、ページング生成部６３０と、制御部６４０と、送信部５５０とを備えている。
【０１５９】
制御部６４０は、第１の実施の形態の制御部５４０の機能に加え、システム情報が入力されると、基地局６０の配下のセルの報知情報の変更がすべて同じように変更されるか、一部のセルで異なるように報知情報の変更が行われるかを示す情報をページング生成部６３０に出力する。
【０１６０】
制御部６４０は、上記の情報の代わりに、キャリアアグリゲーションを維持するのに必要なＳＩＢ（例えば、ＳＩＢ２）が基地局６０の配下のすべてのセルで同じように変更されるか、一部のセルで異なるように変更されるかの情報をページング生成部６３０に出力してもよい。また、制御部６４０は、キャリアアグリゲーションを維持するのに必要な情報として、例えば、無線リソースコンフィグコモン及びＭＢＳＦＮサブフレームコンフィグリストが基地局６０の配下のすべてのセルで同じように変更されるか、一部のセルで異なるように変更されるかの情報をページング生成部６３０に出力してもよい。
【０１６１】
ページング生成部６３０は、第１の実施の形態のページング生成部５３０の機能に加え、制御部６４０から入力された情報に基づいて、ページングを生成する機能を有する。即ち、ページング生成部６３０は、制御部６４０から特定のセル以外のセルの報知情報の変更がないという情報を受けたときは、他セルモディフィケーションをオフにしたページングメッセージを生成する。
【０１６２】
ページング生成部６３０は、制御部６４０から基地局６０の配下のセルの報知情報の変更がすべて同じように変更されるという情報を受けた場合は、他セルモディフィケーションをオンにし、かつモッドタイプを「０」にしたページングを生成する。ページング生成部６３０は、また、制御部６４０から一部のセルで異なるように報知情報の変更が行われるという情報を受けた場合は、他セルモディフィケーションをオンにし、かつモッドタイプを「１」にしたページングを生成する。
【０１６３】
以上のように、第２の実施の形態の無線通信システムによれば、ページングに特定のセル以外の他のセルの報知情報が特定のセルの報知情報と同様に変更されたか否かの情報を含め、他のセルの報知情報が特定のセルの報知情報と同様に変更された場合に、端末において、他のセルのページング及び報知情報を受信することなく、特定のセルの報知情報と同様に他のセルの報知情報を変更する。これによって、他のセルのページング及び報知情報の受信を省略し、消費電力を削減できる。
【０１６４】
なお、ページング生成部６３０は、基地局６０の配下の２つ以上のセルで報知情報が変更され、どのセルの報知情報が変更されるかという情報とともに、キャリアアグリゲーションを維持するのに必要なＳＩＢ（例えば、ＳＩＢ２）が基地局６０の配下の一部のセルで異なるように変更されるという情報が通知されたときに、他セルモディフィケーションをオンにし、かつモッドタイプを「１」にしたページングを生成し、他のセルにおいて、キャリアアグリゲーションを維持するのに必要な情報を報知するＳＩＢが、ページングを送信するセルと同じように変更されるという情報が通知されたときに、モッドタイプを「０」にしたページングを生成する機能を有していてもよい。すなわち、ページング生成部６３０は、キャリアアグリゲーションを維持するのに必要なＳＩＢ（例えば、ＳＩＢ２）が基地局６０の配下のすべてのセルで同じように変更されるか、一部のセルで異なるように変更されるかの情報が通知されたときに、それを基にモッドタイプを決定するようにしてもよい。これによって、モッドタイプ「０」が示される回数が増え、ページングを受信する回数をさらに減らすことができ、消費電力を削減できる。
【０１６５】
また、キャリアアグリゲーションを維持するのに必要な情報として、例えば、無線通信を維持するのに必要な情報である無線リソースコンフィグコモン、及びＭＢＭＳサービスなどを享受するのに必要なＭＢＳＦＮサブフレームコンフィグリストが基地局６０の配下のすべてのセルで同じように変更されるか、一部のセルで異なるように変更されるかの情報が通知されたときに、それを基にモッドタイプ又は２ビットの他セルモディフィケーションを決定する機能を有していてもよい。これによって、さらに、モッドタイプ「０」が示される回数が増え、ページングを受信する回数をさらに減らすことができ、消費電力を削減できる。
【０１６６】
なお、上記ページングフォーマットは例示であり、別のページングフォーマットを使用してもよい。例えば、違うＰ−ＲＮＴＩを用いることで、従来のページングフォーマットの拡張ではなく、別のページングフォーマットを使用してもよい。また、例えば、他セルモディフィケーションがオンかオフかだけを示すページングフォーマットにしてもよい。この場合、端末は、システム情報（System  Information）がオフであると判断した処理をしてもよい。
【０１６７】
（第３の実施の形態）
図２０及び図２１を参照して、本発明の第３の実施の形態の無線通信システムを説明する。本発明の第３の実施の形態に係る無線通信システムは、端末３０及び基地局７０から構成される。
【０１６８】
図２０は、本実施の形態の端末３０の構成を示すブロック図であり、図２１は、本実施の形態の基地局の構成を示すブロック図である。本実施の形態に係る無線通信システムにおいて、基地局７０は、無線資源（例えば、周波数領域、時間領域での周波数帯域）の割り当て及び管理を行い、端末３０のための無線アクセスネットワークのアクセスポイントの役割を有している。端末３０は、ダウンリンクを介して基地局７０から送信された信号を受信する。
【０１６９】
本実施の形態では、キャリアアグリゲーションに使用されていないセルからページングや報知情報を受信できるようにすることにより、端末３０がキャリアアグリゲーションに利用できるキャリア周波数の自由度を高めることができる無線通信システムについて説明する。
【０１７０】
本実施の形態の無線通信システムでは、図１５Ｃで説明したように、複数のセルの中に、報知情報を報知するセルと報知情報を報知しないセルとが存在し、キャリアアグリゲーションに使用されていないセルが、キャリアアグリゲーションに使用されているセルのセル固有の報知情報を報知している。
【０１７１】
以下の説明では、キャリアアグリゲーションに使用されているが、自らは報知情報を報知しておらず、キャリアアグリゲーションに使用されていない他のセルによって報知情報が報知されているセルを「非報知セル」といい、非報知セルに代わって非報知セルの報知情報を報知しているセルであってキャリアアグリゲーションには使用されていないセルを「報知代行セル」という。
【０１７２】
端末３０と基地局７０は、予め、キャリアアグリゲーションに使用されていないセルにおいてページングを受信するタイミングを、端末ＩＤなどに基づいて決定するためのページング受信タイミング決定方法を保持している。端末３０が保持しているページング受信タイミング決定方法は、基地局７０が保持しているページング受信タイミング決定方法と同じである。
【０１７３】
基地局７０は、端末３０に他セルモディフィケーションがオンであるページングを送信する際に、端末３０が報知代行セルから報知情報を受信しているか否か判断する。基地局７０は、端末３０が報知代行セルからページングを受信していると判断すると、上記のページング受信タイミング決定方法を用いてページングを受信するタイミングを計算する。基地局７０は、端末３０がページングを受信するタイミングに合わせて、非報知セルへのデータ送信を一時停止する。基地局７０は、端末３０がその後、報知代行セルから報知情報を受信する必要があると判断すると、報知代行セルが報知情報を報知しているタイミングに合わせて、非報知セルへのデータ送信を一時停止する。
【０１７４】
端末３０は、基地局７０から他セルモディフィケーションがオンであるページングを受信すると、報知代行セルからページングを受信する。このとき、端末３０は、上記のページング受信タイミング決定方法により、ページングを受信するタイミングを計算し、そのタイミングに合わせて、非報知セルにギャップ期間を設定する。端末３０は、このギャップ期間において、非報知セルから報知代行セルに切り替えて、報知代行セルからページングを受信する。端末３０は、ページングを受信していない期間は、報知代行セルから非報知セルに切り替えてデータを受信する。このようにすることで、基地局７０は、端末３０が非報知セルと報知代行セルとを切り替える際に、端末３０に信号を送ることなく、端末３０がページングを受信している期間、別の端末にリソースを割り当てることができる。すなわち、送信信号を増やすことなく、リソースを有効に利用することができる。
【０１７５】
端末３０は、報知代行セルからシステム情報モディフィケーションがオンであるページングを受信すると、その報知代行セルにて報知情報を受信する。このとき、端末３０は、報知代行セルから報知情報を受信する場合、非報知セルから報知代行セルに切り替えて、報知代行セルから報知情報を受信する。このとき、端末３０は報知情報の受信を一度だけ試みることで、受信できるとは限らないため、基地局７０は、端末３０の電波状況を加味して、端末３０が報知周期に合わせて報知情報の受信を何度試みるかを判断し、データ送信を一時停止する期間を決定する。このようにすることで、端末３０が報知情報を受信している期間、別の端末にリソースを割り当てることができる。すなわち、送信信号を増やすことなく、リソースを有効に利用することができる。
【０１７６】
本実施の形態の端末３０の動作を例を挙げて説明する。図１５Ｃの例において、端末３０がＡ、Ａ’、Ｂ’のセルを使用してキャリアアグリゲーションを行う場合を例にとって説明する。この場合、セルＢ’は非報知セルであり、この非報知セルＢ’の報知情報の報知を代行するのが報知代行セルＢである。また、この例において、特定のセルはセルＡとする。
【０１７７】
端末３０は、セルＡから受信したページングにおいて他セルモディフィケーションがオンである場合、キャリアアグリゲーションに使用されている他のセル（即ち、セルＡ’及びセルＢ’）の報知情報の変更の有無を確認する。ここで、セルＡ’のセル固有の情報はセルＡが報知しているため、セルＡからのページングでシステム情報モディフィケーションがオンになっていれば、セルＡから報知情報を受信する。セルＢ’のセル固有の情報はセルＢが報知しているため、セルＢからのページングを受信して、セルＢ’の報知情報の変更の有無を確認する。セルＢからページングを受信するために、端末３０は、端末ＩＤなどからページングを受信するタイミングを計算し、そのタイミングでセルＢ’にギャップ期間を設定する。端末３０は、このギャップ期間に、セルＢ’からセルＢに切り替えて、セルＢからのページングを受信する。端末３０は、セルＢから受信したページングにおいてシステム情報モディフィケーションがオンになっていると、セルＢ’からセルＢに切り替えて報知情報を受信する。  
【０１７８】
（端末の構成）
図２０を参照して、本実施の形態の端末３０の構成を説明する。端末３０が、第１の実施の形態１の端末１０と異なる点は、制御部３４０の構成である。そのため、第１の実施の形態の端末１０の構成要素と同一の構成要素については、同一の参照番号をそれぞれ付して、その詳細な説明は省略する。
【０１７９】
端末３０は、受信部１１０と、報知情報管理部１２０と、ページング管理部１３０と、制御部３４０とを備えている。
【０１８０】
制御部３４０は、第１の実施の形態の制御部１４０の機能に加えて、キャリアアグリゲーションに使用されていないセル（報知代行セル）からページングを受信するように、ページング管理部１３０から通知されると、端末ＩＤなどに基づいてページングを受信するタイミングを計算する。そして、そのタイミングでギャップ期間を設定し、当該ギャップ期間に非報知セルから報知代行セルに切り替えて、報知代行セルからページングを受信するように、受信部１１０に通知する。
【０１８１】
制御部３４０は、キャリアアグリゲーションに使用されていないセル（報知代行セル）から報知情報を受信するように、ページング管理部１３０から通知されると、非報知セルから報知代行セルに切り替えて、報知代行セルから報知情報を受信するように、受信部１１０に通知する。
【０１８２】
ここで、端末ＩＤなどからページングを受信するタイミング（ギャップ期間）を計算する方法について説明する。現在、非特許文献２では、ＤＲＸ（Discontinuous  Reception）を行っている端末がページングを受信するタイミングを記載している。本実施の形態では、この方法に用いられるＩＭＳＩ（International  Mobile  Subscriber  Identity）をＣ−ＲＮＴＩ（Cell  Radio  Network  Temporary  Identifier）に置き換える方法について説明する。端末はページングを受信するページングフレーム（ＰＦ）を以下の式１から求める。
SFN  mod  T  =  (T  div  N)*(UE_ID  mod  N)    ・・・（式１）
【０１８３】
ここで、ＳＦＮはシステムフレーム番号（System  Frame  Number）である。Ｔは、端末のＤＲＸ周期である。ＤＲＸ周期は、報知情報で与えられるデフォルトの値あるいは端末固有の値が使用される。端末固有の値が使用される場合、基地局もこのことを知っているため、基地局は、端末のＤＲＸ周期を知ることができる。ＤＲＸのデフォルトの値は、無線リソースコンフィグコモンに含まれており、ＤＲＸの端末固有の値は個別にネットワークから送られる。Ｎは、以下の式２で表される。
N  =  min(T,  nB)    ・・・（式２）
【０１８４】
すなわち、ＮはＴとｎＢのうち小さい方の値となる。ｎＢは、無線リソースコンフィグコモンに含まれている。ＵＥ＿ＩＤは端末ＩＤのことであり、以下の式３で表される。
UE_ID  =  C-RNTI  mod  1024    ・・・（式３）
【０１８５】
以上のように求められるページングフレームのどのサブフレームでページングを受信するかは、ＦＤＤ（Frequency  Division  Duplex）システム、ＴＤＤ（Time  Division  Duplex）システムによって異なるが、ｉ＿ｓとＮｓというパラメータにより、予め、算出できるテーブルを保持している。ｉ＿ｓとＮｓはそれぞれ、以下の式４と式５で表される。
i_s  =  floor(UE_ID/N)  mod  Ns      ・・・（式４）
Ns  =  max  (1,  nB/T)      ・・・（式５）
【０１８６】
ＦＤＤシステムの場合について説明する。Ｎｓが１の場合、ｉ＿ｓは０になり、端末は、サブフレーム番号９でページングを受信する。Ｎｓが２の場合、ｉ＿ｓは０又は１になり、ｉ＿ｓが０のとき端末はサブフレーム番号４でページングを受信し、ｉ＿ｓが１のとき端末はサブフレーム番号９でページングを受信する。Ｎｓが４の場合、ｉ＿ｓは０、１、２、３のいずれかになり、ｉ＿ｓが０のとき端末はサブフレーム番号０でページングを受信し、ｉ＿ｓが１のとき端末はサブフレーム番号４でページングを受信し、ｉ＿ｓが２のとき端末はサブフレーム番号５でページングを受信し、ｉ＿ｓが３のとき端末はサブフレーム番号９でページングを受信する。
【０１８７】
次にＴＤＤシステムの場合について説明する。Ｎｓが１の場合、ｉ＿ｓは０になり、端末は、サブフレーム番号０でページングを受信する。Ｎｓが２の場合、ｉ＿ｓは０又は１になり、ｉ＿ｓが０のとき端末はサブフレーム番号０でページングを受信し、ｉ＿ｓが１のとき端末はサブフレーム番号５でページングを受信する。Ｎｓが４の場合、ｉ＿ｓは０、１、２、３のいずれかになり、ｉ＿ｓが０のとき端末はサブフレーム番号０でページングを受信し、ｉ＿ｓが１のとき端末はサブフレーム番号１でページングを受信し、ｉ＿ｓが２のとき端末はサブフレーム番号５でページングを受信し、ｉ＿ｓが３のとき端末はサブフレーム番号６でページングを受信する。
【０１８８】
なお、上記では、端末ＩＤをＣ−ＲＮＴＩに置き換える方法を説明したが、Ｓ−ＴＭＳＩ（SAE  Temporary  Mobile  Subscriber  Identity）に置き換える方法を用いてもよい。また、端末と基地局が共通に認識できるＩＤであれば、そのＩＤを使用する方法を用いても良い。
【０１８９】
基地局は、ＩＭＳＩを知っているとは限らないため、非特許文献２におけるＩＭＳＩを例えば、Ｃ−ＲＮＴＩ（Cell  Radio  Network  Temporary  Identifier）やＳ−ＴＭＳＩ（SAE  Temporary  Mobile  Subscriber  Identity）に置き換えることによって、ページングを受信するタイミングを決めることで、基地局と端末で、ページングを受信するタイミングを信号送信なしで共有することができる。
【０１９０】
（基地局の構成）
図２１を参照して、基地局７０の構成を説明する。基地局７０が、第１の実施の形態の基地局５０と異なる点は、制御部７４０の構成である。そのため、第１の実施の形態の基地局５０の構成要素と同一の構成要素については、同一の参照番号をそれぞれ付して、その詳細な説明は省略する。
【０１９１】
基地局７０は、受信部５１０と、報知情報管理部５２０と、ページング生成部５３０と、制御部７４０と、送信部５５０とを備えている。
【０１９２】
制御部７４０は、第１の実施の形態の制御部５４０の機能に加え、キャリアアグリゲーションに使用されていないセル（報知代行セル）から報知情報を受信している端末３０が、ページングを受信する際に、他セルモディフィケーションがオンであるページングを受信する可能性があると、その端末３０が報知代行セルからページングを受信するためのタイミングを端末ＩＤなどに基づいて計算する機能を有している。制御部７４０は、計算したタイミングの期間、端末３０が接続を切り替えるためにデータを受信できなくなるセル（即ち、非報知セル）へのデータの送信を停止するようにスケジューリングを行い、送信部５５０に出力する。
【０１９３】
制御部７４０は、端末３０がどのセルをキャリアアグリゲーションに使用しているかわかっているため、キャリアアグリゲーションに使用されていないどのセルから報知情報を受信するか判断でき、報知代行セルから報知情報を受信すると判断すると、端末３０が受信する報知情報を報知している期間、非報知セルへのデータの送信を停止するようにスケジューリングを行い、送信部５５０に出力する。
【０１９４】
以上のように、本実施の形態では、端末と基地局とがそれぞれ同じページング受信タイミング決定方法を用いて端末の識別情報に基づいてページングを受信するタイミングを決定するので、基地局から端末にページングを受信するタイミングを指示しなくても、基地局と端末とが同じタイミングでページングを受信するタイミングを設定でき、キャリアアグリゲーションに使用されている他のセルの通信への影響を低減しつつ、キャリアアグリゲーションに使用されていないセルからページングメッセージを受信できる。
【０１９５】
本実施の形態では、第１の実施の形態に対して機能を追加した例を示したが、第２の実施の形態に上記の機能を組み合わせることも可能である。
【０１９６】
上記第１〜第３の実施の形態では、基地局５０、６０、７０を無線基地局として記載したが、本発明は、中継ノード（Relay  Node）やホーム無線基地局、ＣＳＧなどにも適用できる。
【０１９７】
なお、上記第１〜第３の実施の形態では、端末が特定のセルにおいて他セルモディフィケーションがオンのページングを受信した際、キャリアアグリゲーションに使用しているセルの報知情報が変更されたかどうかを、ページングを受信することで確認する方法を示したが、端末が特定のセルにおいて他セルモディフィケーションがオンのページングを受信した際、キャリアアグリゲーションに使用しているセルの報知情報を報知しているセルから、キャリアアグリゲーションを維持するのに必要な情報を含む報知情報を受信することによって、報知情報が変更されたかどうかを確認する方法を用いてもよい。このようにすることで、ページングは特定のセルからのみ受信し、報知情報はキャリアアグリゲーションに使用しているセルの報知情報を報知するセルから受信することによって、機能を簡易化しつつ、常に全てのセルにおいてページングを受信することによって、消費電力が大きくなるという課題を解決することができる。
【０１９８】
以上に現時点で考えられる本発明の好適な実施の形態を説明したが、本実施の形態に対して多様な変形が可能であり、そして、本発明の真実の精神と範囲内にあるそのようなすべての変形を添付の請求の範囲が含むことが意図されている。
【産業上の利用可能性】
【０１９９】
以上説明したように、本発明の無線通信システムは、キャリアアグリゲーションにおいて、各セルの報知情報が変更された場合に、ページングを送受信する回数を減らしつつ、必要な報知情報を受信できるという効果を有し、キャリアアグリゲーションによって無線通信を行う無線通信システム等として有用である。
【符号の説明】
【０２００】
１０、２０、３０  端末
１２０、２２０  報知情報管理部
１３０、２３０  ページング管理部
１３２、２３２  他セル報知情報変更判定部
１４０、２４０、３４０  制御部
５０、６０、７０  基地局
５３０、６３０  ページング生成部
５４０、６４０、７４０  制御部
【図１】
2010150493.tif 000003
【図２】
2010150493.tif 000004
【図３】
2010150493.tif 000005
【図４】
2010150493.tif 000006
【図５】
2010150493.tif 000007
【図６】
2010150493.tif 000008
【図７】
2010150493.tif 000009
【図８】
2010150493.tif 000010
【図９】
2010150493.tif 000011
【図１０】
2010150493.tif 000012
【図１１】
2010150493.tif 000013
【図１２】
2010150493.tif 000014
【図１３】
2010150493.tif 000015
【図１４Ａ】
2010150493.tif 000016
【図１４Ｂ】
2010150493.tif 000017
【図１４Ｃ】
2010150493.tif 000018
【図１４Ｄ】
2010150493.tif 000019
【図１５Ａ】
2010150493.tif 000020
【図１５Ｂ】
2010150493.tif 000021
【図１５Ｃ】
2010150493.tif 000022
【図１６】
2010150493.tif 000023
【図１７Ａ】
2010150493.tif 000024
【図１７Ｂ】
2010150493.tif 000025
【図１７Ｃ】
2010150493.tif 000026
【図１８】
2010150493.tif 000027
【図１９】
2010150493.tif 000028
【図２０】
2010150493.tif 000029
【図２１】
2010150493.tif 000030
【国際調査報告】
2010150493.tif 000031
2010150493.tif 000032